(57)【特許請求の範囲】
【請求項１】
ユーザ機器（ＵＥ）のワイヤレス通信の方法であって、
利用可能なマルチメディアブロードキャストマルチキャストサービス（ＭＢＭＳ）サービス、前記利用可能なＭＢＭＳサービスが提供される非自立型キャリア周波数、および前記非自立型キャリア周波数がアタッチされる複数のプライマリコンポーネントキャリア（ＰＣＣ）周波数を示す情報を受信することと、
前記複数のＰＣＣ周波数のうちの１つのＰＣＣ周波数についてのプリファレンスを選択することと、
前記非自立型キャリア周波数上で前記利用可能なＭＢＭＳサービスを受信するための情報を取得するために、１つのＰＣＣ周波数についての前記プリファレンスをネットワークエンティティに送ることと、ここで、前記ＵＥは、前記ネットワークエンティティによって前記１つの好まれるＰＣＣ周波数にハンドオフされる、
前記取得された情報に基づいて前記非自立型キャリア周波数上で前記利用可能なＭＢＭＳサービスを受信することと、それによって、前記サービス連続性は、非自立型キャリア上の発展型ＭＢＭＳの受信により可能にされる、
を備え、
利用可能なＭＢＭＳサービス、前記利用可能なＭＢＭＳサービスが提供される非自立型キャリア周波数、および前記非自立型キャリア周波数がアタッチされる複数のＰＣＣ周波数を示す前記情報は、前記ネットワークエンティティによってシステム情報ブロック（ＳＩＢ）において送られ、セルが前記サービス連続性をサポートしないシナリオに対して備えるために、前記ネットワークエンティティによってユーザサービス記述（ＵＳＤ）においてさらに提供される、方法。
【請求項２】
前記ＳＩＢは、ＳＩＢ １５である、請求項１に記載の方法。
【請求項３】
前記ＵＳＤを受信することをさらに備え、前記ＵＳＤは、前記非自立型キャリア周波数がアタッチされる前記複数のＰＣＣ周波数を示す、請求項１に記載の方法。
【請求項４】
前記ＳＩＢを受信することをさらに備え、
前記ＳＩＢは、前記非自立型キャリア周波数がアタッチされる前記複数のＰＣＣ周波数を示す、または、
前記ＳＩＢは、複数の周波数および非自立型キャリア周波数である前記複数の周波数の各々についての複数のＰＣＣ周波数を示す、
請求項１に記載の方法。
【請求項５】
前記ＵＳＤおよび前記ＳＩＢを受信することをさらに備え、前記ＵＳＤは、前記利用可能なＭＢＭＳサービスに関連する第１のサービスエリアアイデンティティ（ＳＡＩ）を示し、前記ＳＩＢは、前記非自立型キャリア周波数および前記非自立型キャリア周波数がアタッチされる前記複数のＰＣＣ周波数に関連する第２のＳＡＩを示し、前記第１のＳＡＩおよび前記第２のＳＡＩが同じである場合、前記１つのＰＣＣ周波数についての前記プリファレンスが選択される、請求項１に記載の方法。
【請求項６】
前記１つのＰＣＣ周波数についての前記プリファレンスを前記選択することは、前記複数のＰＣＣ周波数が１より大きい場合、ユニキャスト測定値に基づく、または、
前記１つのＰＣＣ周波数についての前記プリファレンスを前記選択することは、前記ＵＥが無線リソース制御（ＲＲＣ）アイドル状態にある場合、前記１つのＰＣＣ周波数の優先順位を決めることを備える、または、
前記１つのＰＣＣ周波数についての前記プリファレンスを前記選択することは、前記ＵＥがＲＲＣ接続状態にある場合、前記１つのＰＣＣ周波数または前記非自立型キャリア周波数を示すＭＢＭＳ関心インジケーションメッセージを送ることを備える、
請求項１に記載の方法。
【請求項７】
ネットワークエンティティのワイヤレス通信の方法であって、
利用可能なマルチメディアブロードキャストマルチキャストサービス（ＭＢＭＳ）サービス、前記利用可能なＭＢＭＳサービスが提供される非自立型キャリア周波数、および前記非自立型キャリア周波数がアタッチされる複数のプライマリコンポーネントキャリア（ＰＣＣ）周波数を示す情報を受信することと、
前記情報をユーザ機器（ＵＥ）に送ることと、
前記ＵＥから１つのＰＣＣ周波数についてのプリファレンスを受信することと、
前記ＵＥが前記非自立型キャリア周波数上で前記利用可能なＭＢＭＳサービスを受信することができるように、前記ＵＥを前記好まれるＰＣＣ周波数にハンドオフすることと、それによって、前記サービス連続性は、非自立型キャリア上の発展型ＭＢＭＳの受信により可能にされる、
を備え、
前記情報は、前記ネットワークエンティティによってシステム情報ブロック（ＳＩＢ）において送られ、セルが前記サービス連続性をサポートしないシナリオに対して備えるために、前記ネットワークエンティティによってユーザサービス記述（ＵＳＤ）においてさらに提供される、方法。
【請求項８】
前記ＵＥから前記非自立型キャリア周波数についてのプリファレンスを受信することと、
前記非自立型キャリア周波数にアタッチされるＰＣＣ周波数に前記ＵＥをハンドオフすることと、前記ＰＣＣ周波数は、前記複数のＰＣＣ周波数のうちの１つである、
をさらに備える、請求項７に記載の方法。
【請求項９】
前記非自立型キャリア周波数は、新たなキャリアタイプ（ＮＣＴ）のキャリア周波数、専用のマルチキャストブロードキャスト単一周波数ネットワーク（ＭＢＳＦＮ）キャリア周波数、ダウンリンクのみのキャリア周波数、または別のＵＥのためのプライマリコンポーネントキャリア周波数ではないセカンダリコンポーネントキャリア周波数である、請求項１または７に記載の方法。
【請求項１０】
ワイヤレス通信のための装置であって、前記装置は、ユーザ機器（ＵＥ）であり、請求項１乃至６または請求項９のうちのいずれか一項に記載の方法を実行するための手段を備える、装置。
【請求項１１】
ワイヤレス通信のための装置であって、前記装置は、ネットワークエンティティであり、請求項７乃至９のうちのいずれか一項に記載の方法を実行するための手段を備える、装置。
【請求項１２】
ユーザ機器（ＵＥ）におけるコンピュータプログラムであって、
請求項１乃至６または請求項９のうちのいずれか一項に記載の方法を実行するためのコードを備える、コンピュータプログラム。
【請求項１３】
ネットワークエンティティにおけるコンピュータプログラムであって、
請求項７乃至９のうちのいずれか一項に記載の方法を実行するためのコードを備える、コンピュータプログラム。
【発明の詳細な説明】
【関連出願の相互参照】
【０００１】
[0001]  本願は、２０１３年４月４日に出願された、「ＮＣＴ上のＥＭＢＭＳサポートによるサービス連続性（SERVICE CONTINUITY WITH EMBMS SUPPORT ON NCT）」と題する、中国ＰＣＴ出願番号第ＰＣＴ／ＣＮ２０１３／０７３７６４号の利益を主張し、参照によってその全体が本明細書に明確に組み込まれている。
【技術分野】
【０００２】
[0002]  本開示の態様は、一般に、ワイヤレス通信システムに関し、より具体的には、非自立型キャリア（a non-self-standing carrier）上の発展型マルチメディアブロードキャストマルチキャストサービス（ＭＢＭＳ）（ｅＭＢＭＳ）サポートによるサービス連続性に関する。
【背景技術】
【０００３】
[0003]  ワイヤレス通信ネットワークは、音声、ビデオ、パケットデータ、メッセージング、ブロードキャスト、等のような、様々な通信サービスを提供するために広く展開されている。これらのワイヤレスネットワークは、利用可能なネットワークリソースを共有することによって複数のユーザをサポートすることができる多元接続ネットワークであり得る。そのような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、および単一キャリアＦＤＭＡ（ＳＣ−ＦＤＭＡ）ネットワークを含む。
【０００４】
[0004]  ワイヤレス通信ネットワークは、多くのユーザ機器（ＵＥ）のための通信をサポートすることができる多くの基地局を含み得る。ＵＥは、ダウンリンクおよびアップリンクを介して基地局と通信し得る。ダウンリンク（または順方向リンク）は、基地局からＵＥへの通信リンクを指し、アップリンク（または逆方向リンク）は、ＵＥから基地局への通信リンクを指す。
【発明の概要】
【０００５】
[0005]  一態様において、ワイヤレス通信のための方法、コンピュータプログラム製品、および装置が提供される。装置は、ＵＥであり得る。ＵＥは、利用可能なＭＢＭＳサービス、利用可能なＭＢＭＳサービスが提供される非自立型キャリア周波数、および非自立型キャリア周波数がアタッチされる１つ以上のプライマリコンポーネントキャリア（ＰＣＣ）周波数を示す情報を受信する。ＵＥは、非自立型キャリア周波数上で利用可能なＭＢＭＳサービスを受信するための情報を取得するために、１つ以上のＰＣＣ周波数のうちの１つのＰＣＣ周波数についてのプリファレンス（preference）を選択する。ＵＥは、取得された情報に基づいて非自立型キャリア周波数上で利用可能なＭＢＭＳサービスを受信する。
【０００６】
[0006]  一態様において、ワイヤレス通信のための方法、コンピュータプログラム製品、および装置が提供される。装置は、ネットワークエンティティであり得る。ネットワークエンティティは、利用可能なＭＢＭＳサービス、利用可能なＭＢＭＳサービスが提供される非自立型キャリア周波数、および非自立型キャリア周波数がアタッチされる１つ以上のＰＣＣ周波数を示す情報を受信する。ネットワークエンティティは、情報をＵＥに送る。
【図面の簡単な説明】
【０００７】
【図１】[0007]  図１は、テレコミュニケーションシステムの例を概念的に示すブロック図である。
【図２】[0008]  図２は、テレコミュニケーションシステムにおけるダウンリンクフレーム構造の例を概念的に示すブロック図である。
【図３】[0009]  図３は、概念的に示すブロック図であって、本開示の一態様に従って構成された基地局／ｅノードＢおよびＵＥの設計を概念的に示すブロック図である。
【図４Ａ】[0010]  図４Ａは、連続的なキャリアアグリゲーションのタイプを開示する。
【図４Ｂ】[0011]  図４Ｂは、非連続的なキャリアアグリゲーションのタイプを開示する。
【図５】[0012]  図５は、ＭＡＣレイヤのデータアグリゲーションを開示する。
【図６】[0013]  図６は、複数のキャリア構成において無線リンクを制御するための方法を示すブロック図である。
【図７】[0014]  図７は、ネットワークアーキテクチャの例を示す図である。
【図８Ａ】[0015]  図８Ａは、マルチキャストブロードキャスト単一周波数ネットワークにおける発展型マルチメディアブロードキャストマルチキャストサービスチャネル構成の例を示す図である。
【図８Ｂ】[0016]  図８Ｂは、マルチキャストチャネルスケジューリング情報媒体アクセス制御の制御要素のフォーマットを示す図である。
【図９】[0017]  図９は、典型的な方法を示すための図である。
【図１０】[0018]  図１０は、ワイヤレス通信の第１の方法のフローチャートである。
【図１１】[0019]  図１１は、ワイヤレス通信の第２の方法のフローチャートである。
【図１２】[0020]  図１２は、典型的な装置における異なるモジュール／手段／コンポーネント間のデータフローを示す概念的なデータフロー図である。
【図１３】[0021]  図１３は、処理システムを用いる装置のためのハードウェアの実現の例を示す図である。
【図１４】[0022]  図１４は、典型的な装置における異なるモジュール／手段／コンポーネント間のデータフローを示す概念的なデータフロー図である。
【図１５】[0023]  図１５は、処理システムを用いる装置のためのハードウェアの実現の例を示す図である。
【詳細な説明】
【０００８】
[0024]  添付図面に関連して以下に述べられる詳細な説明は、様々な構成の説明として意図されたものであり、本明細書で説明される概念が実施され得る唯一の構成を表すように意図されたものではない。詳細な説明は、様々な概念の完全な理解を提供する目的で、具体的な詳細を含む。しかしながら、これらの概念が、これらの具体的な詳細なしに実施され得ることは、当業者にとって明らかであろう。いくつかの例では、そのような概念をあいまいにすることを避けるために、周知の構造およびコンポーネントがブロック図の形態で示される。
【０００９】
[0025]  本明細書で説明される技法は、ＣＤＭＡ、ＴＤＭＡ、ＦＤＭＡ、ＯＦＤＭＡ、ＳＣ−ＦＤＭＡ、および他のネットワークのような様々なワイヤレス通信ネットワークに使用され得る。「ネットワーク」および「システム」という用語は、しばしば同義で使用される。ＣＤＭＡネットワークは、ユニバーサル地上無線アクセス（ＵＴＲＡ）、ｃｄｍａ２０００等のような無線技術を実現し得る。ＵＴＲＡは、広帯域ＣＤＭＡ（ＷＣＤＭＡ（登録商標））およびＣＤＭＡの他の変形を含む。ｃｄｍａ２０００は、ＩＳ−２０００、ＩＳ−９５、およびＩＳ−８５６規格をカバーする。ＴＤＭＡネットワークは、モバイル通信のためのグローバルシステム（ＧＳＭ（登録商標））のような無線技術を実現し得る。ＯＦＤＭＡネットワークは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、フラッシュＯＦＤＭＡ、等のような無線技術を実現し得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスド（ＬＴＥ−Ａ）は、Ｅ−ＵＴＲＡを使用するＵＭＴＳの最新リリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と呼ばれる団体からの文書に説明されている。ｃｄｍａ２０００およびＵＭＢは、「第３世代パートナーシッププロジェクト２」（３ＧＰＰ２）と呼ばれる団体からの文書に説明されている。本明細書で説明される技法は、上述されたワイヤレスネットワークおよび無線技術、並びに、他のワイヤレスネットワークおよび無線技術に使用され得る。明確さのために、技法のある特定の態様は、ＬＴＥに関して以下に説明され、以下の説明の大部分でＬＴＥ用語が使用される。
【００１０】
[0026]  図１は、ワイヤレス通信ネットワーク１００を示し、これは、ＬＴＥネットワークであり得る。ワイヤレスネットワーク１００は、多数の発展型ノードＢ（ｅノードＢ）１１０および他のネットワークエンティティを含み得る。ｅＮＢは、ＵＥと通信する局であり、また、基地局、アクセスポイント等とも称され得る。ノードＢは、ＵＥと通信する局の別の例である。
【００１１】
[0027]  各ｅノードＢ１１０は、特定の地理的エリアのための通信カバレッジを提供し得る。３ＧＰＰでは、「セル」という用語は、この用語が使用される文脈に応じて、ｅノードＢのカバレッジエリアおよび／またはこのカバレッジエリアにサービス提供するｅノードＢサブシステムを指すことができる。
【００１２】
[0028]  ｅノードＢは、マクロセル、ピコセル、フェムトセル、および／または他のタイプのセルのための通信カバレッジを提供し得る。マクロセルは、比較的広い地理的エリア（例えば、半径数キロメートル）をカバーし、サービスに加入しているＵＥによる無制限アクセスを可能にし得る。ピコセルは、比較的狭い地理的エリアをカバーし、サービスに加入しているＵＥによる無制限アクセスを可能にし得る。フェムトセルは、比較的狭い地理的エリア（例えば、住居）をカバーし、フェムトセルとの関連を有するＵＥ（例えば、限定加入者グループ（ＣＳＧ）内のＵＥ、住居内のユーザのためのＵＥ、等）による制限されたアクセスを可能にし得る。マクロセルのためのｅノードＢは、マクロｅノードＢと称され得る。ピコセルのためのｅノードＢは、ピコｅノードＢと称され得る。フェムトセルのためのｅノードＢは、フェムトｅノードＢまたはホームｅノードＢと称され得る。図１に示される例では、ｅノードＢ１１０ａ、１１０ｂ、および１１０ｃはそれぞれ、マクロセル１０２ａ、１０２ｂ、および１０２ｃのためのマクロｅノードＢであり得る。ｅノードＢ１１０ｘは、ピコセル１０２ｘのためのピコｅノードＢであり得る。ｅノードＢ１１０ｙおよび１１０ｚは、それぞれフェムトセル１０２ｙおよび１０２ｚのためのフェムトｅノードＢであり得る。ｅノードＢは、１つまたは複数の（例えば、３つの）セルをサポートし得る。
【００１３】
[0029]  ワイヤレスネットワーク１００はまた、リレー局を含み得る。リレー局は、アップストリーム局（たとえば、ｅノードＢまたはＵＥ）から、データの送信および／または他の情報を受信し、ダウンストリーム局（たとえば、ＵＥまたはｅノードＢ)に、データの送信および／または他の情報を送る局である。リレー局はまた、他のＵＥのための送信をリレーするＵＥであり得る。図１で示される例では、リレー局１１０ｒは、ｅノードＢ１１０ａとＵＥ１２０ｒとの間の通信を容易にするために、ｅノードＢ１１０ａおよびＵＥ１２０ｒと通信し得る。リレー局はまた、中継ｅノードＢ、リレー、等とも称され得る。
【００１４】
[0030]  ワイヤレスネットワーク１００は、例えば、マクロｅノードＢ、ピコｅノードＢ、フェムトｅノードＢ、リレー、等のような異なるタイプのｅノードＢを含む異種ネットワークであり得る。これらの異なるタイプのｅノードＢは、ワイヤレスネットワーク１００において、異なる送信電力レベル、異なるカバレッジエリア、および干渉に対する異なる影響を有し得る。例えば、マクロｅノードＢが高い送信電力レベル（例えば、２０ワット）を有し得るのに対し、ピコｅノードＢ、フェムトｅノードＢ、およびリレーは、より低い送信電力レベル（例えば、１ワット）を有し得る。
【００１５】
[0031]  ワイヤレスネットワーク１００は、同期または非同期動作をサポートし得る。同期動作では、ｅノードＢは、同様のフレームタイミングを有し得、異なるｅノードＢからの送信は、時間的にほぼアラインされ（be approximately aligned in time）得る。非同期動作では、ｅノードＢは、異なるフレームタイミングを有し得、異なるｅノードＢからの送信は、時間的にアラインされない可能性がある。本明細書で説明される技法は、同期動作と非同期動作の両方に使用され得る。
【００１６】
[0032]  ネットワークコントローラ１３０は、ｅノードＢのセットに結合し、これらのｅノードＢ１１０のための調整および制御を提供し得る。ネットワークコントローラ１３０は、バックホールを介してｅノードＢ１１０と通信し得る。ｅノードＢ１１０はまた、例えば、ワイヤレスバックホールまたはワイヤラインバックホールを介して直接または間接的に、互いに通信し得る。
【００１７】
[0033]  ＵＥ１２０は、ワイヤレスネットワーク１００全体にわたって分布され得、各ＵＥは、固定式または移動式であり得る。ＵＥは、端末、移動局、加入者ユニット、局、等とも称され得る。ＵＥは、セルラ電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、等であり得る。ＵＥは、マクロｅノードＢ、ピコｅノードＢ、フェムトｅノードＢ、リレー、等と通信可能であり得る。図１において、両方向矢印の実線は、ＵＥとサービングｅノードＢとの間の所望の送信を示し、これは、ダウンリンクおよび／またはアップリンク上でＵＥにサービス提供するように指定されたｅノードＢである。両方向矢印の破線は、ＵＥとｅノードＢとの間の干渉する送信を示す。
【００１８】
[0034]  ＬＴＥは、ダウンリンク上で直交周波数分割多重（ＯＦＤＭ）を、アップリンク上で単一キャリア周波数分割多重（ＳＣ−ＦＤＭ）を、利用する。ＯＦＤＭおよびＳＣ−ＦＤＭは、システム帯域幅を複数（Ｋ）個の直交サブキャリアに分割し、これは、一般的に、トーン、ビン、等とも称される。各サブキャリアは、データにより変調され得る。一般に、変調シンボルは、ＯＦＤＭでは周波数領域で、ＳＣ−ＦＤＭＡでは時間領域で送られる。隣接するサブキャリア間の間隔は、固定であり、サブキャリアの合計数（Ｋ）は、システム帯域幅に依存し得る。例えば、サブキャリアの間隔は１５ｋＨｚであり、（「リソースブロック」と呼ばれる）最小リソース割り振りは、１２個サブキャリア（または１８０ｋＨｚ）であり得る。したがって、ノミナルな（nominal）ＦＦＴサイズは、１．２５、２．５、５、１０、または２０メガヘルツ（ＭＨｚ）のシステム帯域幅に対して、それぞれ、１２８、２５６、５１２、１０２４、または２０４８に等しくなり得る。システム帯域幅はまた、サブバンドに分割され得る。例えば、サブバンドは、１．０８ＭＨｚ（すなわち、６個のリソースブロック）をカバーし、１．２５、２．５、５、１０または２０ＭＨｚのシステム帯域幅に対して、それぞれ１、２、４、８、または１６個のサブバンドが存在し得る。
【００１９】
[0035]  図２は、ＬＴＥにおいて使用されるダウンリンクフレーム構造を示す。ダウンリンクのための送信タイムラインは、無線フレームの単位に分割され得る。各無線フレームは、所定の持続時間（例えば、１０ミリ秒（ｍｓ））を有し得、０〜９のインデックスを有する１０個のサブフレームに分割され得る。各サブフレームは、２つのスロットを含み得る。したがって、各無線フレームは、０〜１９のインデックスを有する２０個のスロットを含み得る。各スロットは、Ｌ個のシンボル期間、例えば、（図２に示すような）通常のサイクリックプレフィックスの場合は７個のシンボル期間、または拡張されたサイクリックプレフィックスの場合は６個のシンボル期間を含み得る。各サブフレームにおける２Ｌ個のシンボル期間は、０〜２Ｌ−１のインデックスを割り当てられ得る。利用可能な時間周波数リソースは、リソースブロックに分割され得る。各リソースブロックは、１つのスロットにおいてＮ個のサブキャリア（例えば、１２個のサブキャリア）をカバーし得る。
【００２０】
[0036]  ＬＴＥにおいて、ｅノードＢは、ｅノードＢにおける各セルについてのプライマリ同期信号（ＰＳＳ）およびセカンダリ同期信号（ＳＳＳ）を送り得る。プライマリおよびセカンダリ同期信号は、それぞれ、図２に示されるように、通常のサイクリックプレフィックスの場合、各無線フレームのサブフレーム０および５の各々におけるシンボル期間６および５において送られ得る。同期信号は、セルの検出および獲得のためにＵＥによって使用され得る。ｅノードＢは、サブフレーム０のスロット１におけるシンボル期間０〜３において、物理ブロードキャストチャネル（ＰＢＣＨ）を送り得る。ＰＢＣＨは、ある特定のシステム情報を搬送し得る。
【００２１】
[0037]  ｅＮＢは、図２における第１のシンボル期間全体において描写されているが、各サブフレームの第１のシンボル期間の一部のみで物理制御フォーマットインジケータチャネル（ＰＣＦＩＣＨ）を送り得る。ＰＣＦＩＣＨは、制御チャネルに使用されるシンボル期間の数（Ｍ）を伝達し、ここで、Ｍは、１、２、または３に等しく、サブフレーム毎に変わり得る。Ｍはまた、例えば、１０個未満のリソースブロックを有する小さなシステム帯域幅では、４に等しくなり得る。図２に示される例では、Ｍ＝３である。ｅノードＢは、各サブフレームの第１のＭ個のシンボル期間（図２ではＭ＝３）において、物理ＨＡＲＱインジケータチャネル（ＰＨＩＣＨ）および物理ダウンリンク制御チャネル（ＰＤＣＣＨ）を送り得る。ＰＨＩＣＨは、ハイブリッド自動再送（ＨＡＲＱ）をサポートするための情報を搬送し得る。ＰＤＣＣＨは、ＵＥのためのアップリンクおよびダウンリンクリソース割り振りに関する情報とアップリンクチャネルに関する電力制御情報とを搬送し得る。図２における第１のシンボル期間には示されていないが、ＰＤＣＣＨおよびＰＨＩＣＨもまた、第１のシンボル期間に含まれることが理解されるべきである。同様に、ＰＨＩＣＨおよびＰＤＣＣＨはまた、図２ではそのようには示されていないが、第２および第３のシンボル期間の両方に存在する。ｅノードＢは、各サブフレームの残りのシンボル期間において、物理ダウンリンク共有チャネル（ＰＤＳＣＨ）を送り得る。ＰＤＳＣＨは、ダウンリンク上でのデータ送信のためにスケジュールされたＵＥのためのデータを搬送し得る。ＬＴＥにおける様々な信号およびチャネルは、「発展型ユニバーサル地上無線接続（Ｅ−ＵＴＲＡ）；物理チャネルおよび変調（Evolved Universal Terrestrial Radio Access (E-UTRA); Physical Channels and Modulation）」と題する、公的に利用可能な３ＧＰＰ ＴＳ ３６．２１１において説明されている。
【００２２】
[0038]  ｅノードＢは、ｅノードＢによって使用されるシステム帯域幅の中心である１．０８ＭＨｚにおいて、ＰＳＳ、ＳＳＳ、およびＰＢＣＨを送り得る。ｅノードＢは、ＰＣＦＩＣＨおよびＰＨＩＣＨを、これらのチャネルが送られる各シンボル期間において、システム帯域幅全体にわたって送り得る。ｅノードＢは、システム帯域幅のある特定の部分においてＵＥのグループにＰＤＣＣＨを送り得る。ｅノードＢは、システム帯域幅の特定の部分において特定のＵＥにＰＤＳＣＨを送り得る。ｅノードＢは、すべてのＵＥに対してブロードキャスト方式でＰＳＳ、ＳＳＳ、ＰＢＣＨ、ＰＣＦＩＣＨ、およびＰＨＩＣＨを送り得、特定のＵＥに対してユニキャスト方式でＰＤＣＣＨを送り得、また、特定のＵＥに対してユニキャスト方式でＰＤＳＣＨを送り得る。
【００２３】
[0039]  多数のリソース要素が各シンボル期間において利用可能であり得る。各リソース要素は、１つのシンボル期間において１つのサブキャリアをカバーし得、１つの変調シンボルを送るために使用され得、これは、実数または複素数であり得る。各シンボル期間における参照信号に使用されないリソース要素は、リソース要素グループ（ＲＥＧ）内に配置され得る。各ＲＥＧは、１つのシンボル期間において４つのリソース要素を含み得る。ＰＣＦＩＣＨは、４つのＲＥＧを占有し、これらは、シンボル期間０において周波数にわたってほぼ等しく間隔を空けられ得る。ＰＨＩＣＨは、３つのＲＥＧを占有し、これらは、１つ以上の設定可能なシンボル期間において周波数にわたって拡散され得る。例えば、ＰＨＩＣＨのための３つのＲＥＧはすべて、シンボル期間０に属し得る、またはシンボル期間０、１、および２内に拡散され得る。ＰＤＣＣＨは、９、１８、３２、または６４個のＲＥＧを占有し、これらは、最初のＭ個のシンボル期間において、利用可能なＲＥＧから選択され得る。ＲＥＧのある特定の組み合わせのみが、ＰＤＣＣＨに対して許可され得る。
【００２４】
[0040]  ＵＥは、ＰＨＩＣＨおよびＰＣＦＩＣＨに使用される特定のＲＥＧを知り得る。ＵＥは、ＰＤＣＣＨのために、ＲＥＧの異なる組み合わせを探索し得る。探索するための組み合わせの数は、典型的にＰＤＣＣＨに対して許可される組み合わせの数より少ない。ｅノードＢは、ＵＥが探索するであろう任意の組み合わせにおいてＰＤＣＣＨをＵＥに送り得る。
【００２５】
[0041]  ＵＥは、複数のｅノードＢのカバレッジ内にあり得る。これらのｅノードＢのうちの１つが、ＵＥにサービス提供するために選択され得る。サービングｅノードＢは、受信電力、経路損失、信号対雑音比（ＳＮＲ）、等のような様々な基準に基づいて選択され得る。
【００２６】
[0042]  図３は、基地局／ｅノードＢ１１０およびＵＥ１２０の設計のブロック図を示し、これらは、図１における基地局／ｅノードＢのうちの１つおよびＵＥのうちの１つであり得る。制限された関連付けシナリオでは、基地局１１０は、図１におけるマクロｅノードＢ１１０ｃであり得、ＵＥ１２０は、ＵＥ１２０ｙであり得る。基地局１１０はまた、何らかの他のタイプの基地局であり得る。基地局１１０はアンテナ６３４ａ〜６３４ｔを備え得、ＵＥ１２０はアンテナ６５２ａ〜６５２ｒを備え得る。
【００２７】
[0043]  基地局１１０において、送信プロセッサ６２０は、データソース６１２からデータを受信し、コントローラ／プロセッサ６４０から制御情報を受信し得る。制御情報は、ＰＢＣＨ、ＰＣＦＩＣＨ、ＰＨＩＣＨ、ＰＤＣＣＨ、等のためのものであり得る。データは、ＰＤＳＣＨ、等のためのものであり得る。プロセッサ６２０は、データおよび制御情報を処理（例えば、符号化およびシンボルマッピング）して、データシンボルおよび制御シンボルをそれぞれ取得し得る。プロセッサ６２０はまた、例えば、ＰＳＳ、ＳＳＳのための参照シンボル、およびセル特有の参照信号を生成し得る。送信（ＴＸ）多入力多出力（ＭＩＭＯ）プロセッサ６３０は、適用可能な場合、データシンボル、制御シンボル、および／または参照シンボルに空間処理（例えば、プリコーディング）を実行し得、出力シンボルストリームを変調器（ＭＯＤ）６３２ａ〜６３２ｔに提供し得る。各変調器６３２は、（例えば、ＯＦＤＭ、等のために）それぞれの出力シンボルストリームを処理して、出力サンプルストリームを取得し得る。各変調器６３２はさらに、出力サンプルストリームを処理（例えば、アナログへの変換、増幅、フィルタリング、およびアップコンバート）して、ダウンリンク信号を取得し得る。変調器６３２ａ〜６３２ｔからのダウンリンク信号は、それぞれ、アンテナ６３４ａ〜６３４ｔを介して送信され得る。
【００２８】
[0044]  ＵＥ１２０において、アンテナ６５２ａ〜６５２ｒは、基地局１１０からダウンリンク信号を受信し得、受信された信号を、それぞれ、復調器（ＤＥＭＯＤ）６５４ａ〜６５４ｒに提供し得る。各復調器６５４は、受信されたそれぞれの信号を調整（例えば、フィルタリング、増幅、ダウンコンバート、およびデジタル化）して、入力サンプルを取得し得る。各復調器６５４はさらに、（例えば、ＯＦＤＭ、等のために）入力サンプルを処理して、受信されたシンボルを取得し得る。ＭＩＭＯ検出器６５６は、すべての復調器６５４ａ〜６５４ｒからの受信されたシンボルを取得し、適用可能な場合、受信されたシンボルにＭＩＭＯ検出を実行し、検出されたシンボルを提供し得る。受信プロセッサ６５８は、検出されたシンボルを処理（例えば、復調、デインタリーブ、復号）し、データシンク６６０にＵＥ１２０のための復号されたデータを提供し、コントローラ／プロセッサ６８０に復号された制御情報を提供し得る。
【００２９】
[0045]  アップリンクでは、ＵＥ１２０において、送信プロセッサ６６４は、データソース６６２から（例えば、ＰＵＳＣＨのための）データを、およびコントローラ／プロセッサ６８０から（例えば、ＰＵＣＣＨのための）制御情報を、受信および処理し得る。プロセッサ６６４はまた、参照信号のための参照シンボルを生成し得る。送信プロセッサ６６４からのシンボルは、適用可能な場合、ＴＸ  ＭＩＭＯプロセッサ６６６によってプリコードされ、（例えば、ＳＣ−ＦＤＭ、等のために）変調器６５４ａ〜６５４ｒによってさらに処理され、基地局１１０に送信され得る。基地局１１０において、ＵＥ１２０からのアップリンク信号が、アンテナ６３４によって受信され、復調器６３２によって処理され、適用可能な場合にはＭＩＭＯ検出器６３６によって検出され、受信プロセッサ６３８によってさらに処理されて、ＵＥ１２０によって送られた、復号されたデータおよび制御情報を取得し得る。プロセッサ６３８は、データシンク６３９に復号されたデータを提供し、コントローラ／プロセッサ６４０に復号された制御情報を提供し得る。
【００３０】
[0046]  コントローラ／プロセッサ６４０および６８０は、それぞれ、基地局１１０およびＵＥ１２０における動作を指示し得る。プロセッサ６４０および／または基地局１１０における他のプロセッサおよびモジュールは、本明細書で説明される技法のための様々な処理の実行を遂行または指示し得る。プロセッサ６８０および／またはＵＥ１２０における他のプロセッサおよびモジュールはまた、図４および図５に示される機能ブロック、および／または本明細書で説明される技法のための他の処理の実行を遂行または指示し得る。メモリ６４２および６８２は、それぞれ、基地局１１０およびＵＥ１２０のためのデータおよびプログラムコードを記憶し得る。スケジューラ６４４は、ダウンリンクおよび／またはアップリンク上のデータ送信のためにＵＥをスケジューリングし得る。
【００３１】
[0047]  一構成において、ワイヤレス通信のためのＵＥ１２０は、ＵＥの接続モード中に干渉する基地局からの干渉を検出するための手段と、干渉する基地局の発生リソース（yielded resource）を選択するための手段と、発生リソース上の物理ダウンリンク制御チャネルのエラー率を取得するための手段と、誤り率が所定のレベルを超えたことに応答して実行可能な、無線リンク障害を宣言する（declaring）ための手段を含む。一態様において、前述の手段は、前述の手段によって記載された機能を実行するように構成された、（単数または複数の）プロセッサ、コントローラ／プロセッサ６８０、メモリ６８２、受信プロセッサ６５８、ＭＩＭＯ検出器６５６、復調器６５４ａ、およびアンテナ６５２ａであり得る。別の態様において、前述の手段は、前述の手段によって記載された機能を実行するように構成されたモジュールまたは任意の装置であり得る。
【００３２】
キャリアアグリゲーション
[0048]  ＬＴＥ−アドバンスドＵＥは、各方向における送信に使用される合計１００ＭＨｚ（５つのコンポーネントキャリア）までのキャリアアグリゲーションに割り振られる２０ＭＨｚ帯域幅までのスペクトルを使用する。一般に、ダウンリンクよりも少ないトラフィックがアップリンク上で送信されるので、アップリンクスペクトル割り振りは、ダウンリンク割り振りよりも小さくなり得る。例えば、アップリンクに２０ＭＨｚが割り当てられる場合、ダウンリンクは１００ＭＨｚを割り当てられ得る。これらの非対称ＦＤＤ割り当ては、スペクトルを節約し、ブロードバンド加入者による典型的な非対称帯域幅利用に適している。
【００３３】
キャリアアグリゲーションタイプ
[0049]  ＬＴＥ−アドバンスドモバイルシステムについては、連続的なＣＡおよび非連続的なＣＡのような、２つのタイプのキャリアアグリゲーション（ＣＡ）方法が提案されている。それらは、図４Ａおよび図４Ｂに示される。非連続的なＣＡは、複数の利用可能なコンポーネントキャリアが周波数帯域に沿って分離されたときに生じる（図４Ｂ）。一方、連続的なＣＡは、複数の利用可能なコンポーネントキャリアが互いに隣接するときに生じる（図４Ａ）。非連続的なＣＡと連続的なＣＡの両方は、ＬＴＥアドバンスドＵＥの単一ユニットにサービス提供するために複数のＬＴＥ／コンポーネントキャリアをアグリゲートする。
【００３４】
[0050]  複数のＲＦ受信ユニットおよび複数のＦＦＴは、キャリアが周波数帯域に沿って分離されているので、ＬＴＥ−アドバンスドＵＥでは非連続的なＣＡにより展開され得る。非連続的なＣＡは広い周波数範囲にわたって複数の分離されたキャリアを介してデータ送信をサポートするので、伝搬経路損失、ドップラーシフトおよび他の無線チャネル特性は、異なる周波数帯域において大きく異なり得る。
【００３５】
[0051]  従って、非連続的なＣＡアプローチの下で広帯域データ送信をサポートするために、方法は、異なるコンポーネントキャリアためのコーディング、変調、および送信電力を適応的に調節するために使用され得る。例えば、エンハンスドノードＢ（ｅＮＢ）が各コンポーネントキャリア上で固定された送信電力を有するＬＴＥ−アドバンスドシステムでは、各コンポーネントキャリアのサポート可能な変調およびコーディングまたは有効なカバレッジが異なり得る。
【００３６】
データアグリゲーションスキーム
[0052]  図５は、国際モバイルテレコミュニケーション（ＩＭＴ）アドバンスドシステムのための媒体アクセス制御（ＭＡＣ）レイヤ（図５）で異なるコンポーネントキャリアから送信ブロック（ＴＢ）をアグリゲートすることを示す。ＭＡＣレイヤのデータアグリゲーションでは、各コンポーネントキャリアは、ＭＡＣレイヤにおいてそれ自体の独立したハイブリッド自動再送要求（ＨＡＲＱ）エンティティと、物理レイヤにおいてそれ自体の送信構成パラメータ（例えば、送信電力、変調およびコーディングスキーム、および複数のアンテナ構成）を有する。同様に、物理レイヤでは、コンポーネントキャリア毎に１つのＨＡＲＱエンティティが提供される。
【００３７】
制御シグナリング
[0053]  一般に、複数のコンポーネントキャリアのための制御チャネルシグナリングを展開するための３つの異なるアプローチが存在する。第１は、各コンポーネントキャリアがそれ自体のコード化された制御チャネルを与えられているＬＴＥシステムにおいて制御構造のマイナーな修正を伴う。
【００３８】
[0054]  第２の方法は、異なるコンポーネントキャリアの制御チャネルを一緒にコード化し、専用のコンポーネントキャリアにおいて制御チャネルを展開することを伴う。複数のコンポーネントキャリアに関する制御情報は、この専用の制御チャネルでは、シグナリングコンテンツとして統合されるだろう。結果として、ＬＴＥシステムにおける制御チャネル構造との後方互換性は維持されるが、一方でＣＡにおけるシグナリングオーバーヘッドが低減される。
【００３９】
[0055]  異なるコンポーネントキャリアのための複数の制御チャネルは、一緒にコード化され、その後、第３のＣＡ方法によって形成された周波数帯全体にわたって送信される。このアプローチは、ＵＥ側における高電力消費の負担で、制御チャネルにおける低いシグナリングオーバーヘッドおよび高い復号性能を提供する。しかしながら、この方法は、ＬＴＥシステムとの互換性がない。
【００４０】
ハンドオーバ制御
[0056]  ＣＡがＩＭＴ−アドバンスドＵＥに使用される場合、複数のセルにわたるハンドオーバプロシージャ中に送信連続性をサポートすることがより望ましい。しかしながら、特定のＣＡ構成およびサービス品質（ＱｏＳ）要件を備えた、受信するＵＥ（incoming UE）のために十分なシステムリソース（すなわち、良質な送信品質を備えたコンポーネントキャリア）をリザーブすることは、次のｅノードＢにとって困難である可能性がある。この理由は、２つ（またはそれより多い）の隣接したセル（ｅノードＢ）のチャネル条件が特定のＵＥに対して異なり得るからである。１つのアプローチにおいて、ＵＥは、各隣接したセルにおいて１つのコンポーネントキャリアのみの性能を測定する。これは、ＬＴＥシステムにおけるものと同様の測定遅延、複雑さ、およびエネルギー消費を提供する。対応するセルにおける他のコンポーネントキャリアの性能の推定は、１つのコンポーネントキャリアの測定結果に基づき得る。この推定に基づいて、ハンドオーバ決定および送信構成が決定され得る。
【００４１】
[0057]  様々な例にしたがって、（キャリアアグリゲーションとも称される）マルチキャリアシステムにおいて動作するＵＥは、「プライマリキャリア」と称され得る同じキャリア上で、制御およびフィードバック機能のような、複数のキャリアのある特定の機能をアグリゲートするように構成される。サポートのためのプライマリキャリアに依存する残りのキャリアは、関連付けられたセカンダリキャリアと称される。例えば、ＵＥは、オプションの専用チャネル（ＤＣＨ）、スケジュールされていない許可、物理アップリンク制御チャネル（ＰＵＣＣＨ）、および／または物理ダウンリンク制御チャネル（ＰＤＣＣＨ）によって提供されるもののような制御機能をアグリゲートし得る。シグナリングおよびペイロードは、ＵＥにｅノードＢによってダウンリンク上で、およびｅノードＢにＵＥによってアップリンク上で、の両方で送信され得る。
【００４２】
[0058]  いくつかの実施形態では、複数のプライマリキャリアが存在し得る。さらに、セカンダリキャリアは、ＬＴＥ ＲＲＣプロトコルのための３ＧＰＰの技術仕様書３６．３３１に説明されているような、レイヤ２のプロシージャであるＲＬＦプロシージャおよび物理チャネル確立を含む、ＵＥの基本的な動作に影響を与えることなく追加、または削除され得る。
【００４３】
[0059]  図６は、一例にしたがって、物理チャネルをグループ化することで、複数のキャリアワイヤレス通信システムにおける無線リンクを制御するための方法６００を示す。示されるように、方法は、ブロック６０５において、プライマリキャリアおよび１つ以上の関連付けられたセカンダリキャリアを形成するために、制御機能を少なくとも２つのキャリアから１つのキャリア上にアグリゲートすることを含む。次にブロック６１０において、プライマリキャリアおよび各セカンダリキャリアのために通信リンクが確立される。その後、ブロック６１５において、プライマリキャリアに基づいて通信が制御される。
【００４４】
[0060]  図７は、ＬＴＥネットワークアーキテクチャ７００を示す図である。ＬＴＥネットワークアーキテクチャ７００は、発展型パケットシステム（ＥＰＳ）７００と称され得る。ＥＰＳ７００は、１つ以上のユーザ機器（ＵＥ）７０２、発展型ＵＭＴＳ地上無線アクセスネットワーク（Ｅ−ＵＴＲＡＮ）７０４、発展型パケットコア（ＥＰＣ）７１０、およびオペレータのインターネットプロトコル（ＩＰ）サービス７２２を含み得る。ＥＰＳは、他のアクセスネットワークと相互接続することができるが、簡潔さのために、これらのエンティティ／インタフェースは示されていない。示されるように、ＥＰＳは、パケット交換サービスを提供するが、当業者が容易に理解するように、本開示全体にわたって提示される様々な概念は、回線交換サービスを提供するネットワークに拡張され得る。
【００４５】
[0061]  Ｅ−ＵＴＲＡＮは、発展型ノードＢ（ｅＮＢ）７０６および他のｅＮＢ７０８を含み、マルチキャスト協調エンティティ（ＭＣＥ）７２８を含み得る。ｅＮＢ７０６は、ＵＥ７０２に対してユーザおよび制御プレーンプロトコル終端（terminations）を提供する。ｅＮＢ７０６は、バックホール（例えば、Ｘ２インタフェース）を介して、他のｅＮＢ７０８に接続され得る。ＭＣＥ７２８は、ｅＭＢＭＳについての時間／周波数無線リソースを割り振り、ｅＭＢＭＳについての無線構成（例えば、変調およびコーディングスキーム（ＭＣＳ））を決定する。ＭＣＥ７２８は、別個のエンティティまたはｅＮＢ７０６の一部であり得る。ｅＮＢ７０６はまた、基地局、ノードＢ、アクセスポイント、ベーストランシーバ基地局、無線基地局、無線トランシーバ、トランシーバ機能、基本サービスセット（ＢＳＳ）、拡張サービスセット（ＥＳＳ）、または何らかの他の適切な用語で称され得る。ｅＮＢ７０６は、ＵＥ７０２のためにＥＰＣ７１０へのアクセスポイントを提供する。ＵＥ７０２の例は、セルラ電話、スマートフォン、セッション開始プロトコル（ＳＩＰ）電話、ラップトップ、携帯情報端末（ＰＤＡ）、衛星無線機（satellite radio）、全地球測位システム、マルチメディアデバイス、ビデオデバイス、デジタルオーディオプレーヤ（例えば、ＭＰ３プレーヤ）、カメラ、ゲーム機、タブレット、または任意の他の同様の機能するデバイスを含む。ＵＥ７０２はまた、当業者によって、移動局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、移動端末、ワイヤレス端末、遠隔端末、ハンドセット、ユーザエージェント、モバイルクライアント、クライアント、または何らかの他の適切な用語で称され得る。
【００４６】
[0062]  ｅＮＢ７０６は、ＥＰＣ７１０に接続される。ＥＰＣ７１０は、モビリティ管理エンティティ（ＭＭＥ）７１２、ホーム加入者サーバ（ＨＳＳ）７２０、他のＭＭＥ７１４、サービングゲートウェイ７１６、ＭＢＭＳゲートウェイ７２４、ブロードキャストマルチキャストサービスセンタ（ＢＭ−ＳＣ）７２６、およびパケットデータネットワーク（ＰＤＮ）ゲートウェイ７１８を含み得る。ＭＭＥ７１２は、ＵＥ７０２とＥＰＣ７１０との間のシグナリングを処理する制御ノードである。一般に、ＭＭＥ７１２は、ベアラおよび接続管理を提供する。すべてのユーザＩＰパケットは、それ自体がＰＤＮゲートウェイ７１８に接続されるサービングゲートウェイ７１６を通じて転送される。ＰＤＮゲートウェイ７１８は、ＵＥ ＩＰアドレス割り振りのみならず、その他の機能も提供する。ＰＤＮゲートウェイ７１８およびＢＭ−ＳＣ７２６は、ＩＰサービス７２２に接続される。ＩＰサービス７２２は、インターネット、イントラネット、ＩＰマルチメディアサブシステム（ＩＭＳ）、ＰＳストリーミングサービス（ＰＳＳ）、および／または他のＩＰサービスを含み得る。ＢＭ−ＳＣ７２６は、ＭＢＭＳユーザサービスプロビジョニングおよび配信のための機能を提供し得る。ＢＭ−ＳＣ７２６は、コンテンツプロバイダＭＢＭＳ送信のためのエントリポイントとしての役割を果たし得、ＰＬＭＮ内のＭＢＭＳベアラサービスを認可および開始するために使用され得、ＭＢＭＳ送信をスケジュールおよび配信するために使用され得る。ＭＢＭＳゲートウェイ７２４は、特定のサービスをブロードキャストするマルチキャストブロードキャスト単一周波数ネットワーク（ＭＢＳＦＮ）エリアに属するｅＮＢ（例えば、７０６、７０８）にＭＢＭＳトラフィックを分配するために使用され得、セッション管理（開始／停止）およびｅＭＢＭＳ関連課金情報（related charging information）を集めることを担い得る。
【００４７】
[0063]  図８Ａは、ＭＢＳＦＮにおけるｅＭＢＭＳチャネル構成の例を示す図７５０である。セル７５２’におけるｅＮＢ７５２は、第１のＭＢＳＦＮエリアを形成し得、セル７５４’におけるｅＮＢ７５４は、第２のＭＢＳＦＮエリアを形成し得る。ｅＮＢ７５２、７５４は、例えば、合計８つのＭＢＳＦＮエリアまで、他のＭＢＳＦＮエリアにそれぞれ関連し得る。ＭＢＳＦＮエリア内のセルは、リザーブされたセルに指定され得る。リザーブされたセルは、マルチキャスト／ブロードキャストコンテンツを提供しないが、セル７５２’、７５４’に時間同期され、ＭＢＳＦＮエリアへの干渉を制限するために、ＭＢＳＦＮリソース上の制限された電力を有する。ＭＢＳＦＮエリアにおける各ｅＮＢは、同じｅＭＢＭＳ制御情報およびデータを同期して送信する。各エリアは、ブロードキャスト、マルチキャスト、およびユニキャストサービスをサポートし得る。ユニキャストサービスは、例えば、音声コール（voice call）のような、特定のユーザを対象としたサービスである。マルチキャストサービスは、例えば、加入者ビデオサービスのような、ユーザのグループによって受信され得るサービスである。ブロードキャストサービスは、例えば、ニュースブロードキャストのような、すべてのユーザによって受信され得るサービスである。図８Ａを参照すると、第１のＭＢＳＦＮエリアは、ＵＥ７７０に特定のニュースブロードキャストを提供する等によって、第１のｅＭＢＭＳブロードキャストサービスをサポートし得る。第２のＭＢＳＦＮエリアは、ＵＥ７６０に異なるニュースブロードキャストを提供する等によって、第２のｅＭＢＭＳブロードキャストサービスをサポートし得る。各ＭＢＳＦＮエリアは、複数の物理マルチキャストチャネル（ＰＭＣＨ）（例えば、１５個のＰＭＣＨ）をサポートする。各ＰＭＣＨは、マルチキャストチャネル（ＭＣＨ）に対応する。各ＭＣＨは、複数（例えば、２９個）のマルチキャスト論理チャネルを多重化することができる。各ＭＢＳＦＮエリアは、１つのマルチキャスト制御チャネル（ＭＣＣＨ）を有し得る。したがって、１つのＭＣＨは、１つのＭＣＣＨおよび複数のマルチキャストトラフィックチャネル（ＭＴＣＨ）を多重化し得、残りのＭＣＨは、複数のＭＴＣＨを多重化し得る。
【００４８】
[0064]  ＵＥは、ｅＭＢＭＳサービスアクセスの利用可能性および対応するアクセス層構成を発見するために、ＬＴＥセルにキャンプオン（camp on）することができる。第１のステップでは、ＵＥは、システム情報ブロック（ＳＩＢ）１３（ＳＩＢ１３）を獲得し得る。第２のステップでは、ＳＩＢ１３に基づいて、ＵＥは、ＭＣＣＨ上でＭＢＳＦＮエリア構成メッセージを獲得し得る。第３のステップでは、ＭＢＳＦＮエリア構成メッセージに基づいて、ＵＥは、ＭＣＨスケジューリング情報（ＭＳＩ）ＭＡＣ制御要素を獲得し得る。ＳＩＢ１３は、（１）セルによってサポートされる各ＭＢＳＦＮエリアのＭＢＳＦＮエリア識別子、（２）ＭＣＣＨ繰り返し期間（例えば、３２、６４、…、２５６フレーム）、ＭＣＣＨオフセット（例えば、０、１、…、１０フレーム）、ＭＣＣＨ修正期間（例えば、５１２、１０２４フレーム）、シグナリング変調およびコーディングスキーム（ＭＣＳ）、繰り返し期間およびオフセットによって示されるような無線フレームのどのサブフレームがＭＣＣＨを送信することができるかを示すサブフレーム割り振り情報のような、ＭＣＣＨを獲得するための情報、および（３）ＭＣＣＨ変更通知構成を示す。ＭＢＳＦＮエリア毎に１つのＭＢＳＦＮエリア構成メッセージが存在し得る。ＭＢＳＦＮエリア構成メッセージは、（１）ＰＭＣＨ内の論理チャネル識別子によって識別される各ＭＴＣＨの一時的モバイルグループアイデンティティ（ＴＭＧＩ）およびオプションのセッション識別子、（２）ＭＢＳＦＮエリアの各ＰＭＣＨを送信するための割り振られたリソース（すなわち、無線フレームおよびサブフレーム）およびこのエリアにおけるすべてのＰＭＣＨのための割り振られたリソースの割り振り期間（例えば、４、８、…、２５６フレーム）、および（３）ＭＳＩ ＭＡＣ制御要素が送信されるＭＣＨスケジューリング期間（ＭＳＰ）（例えば、８、１６、３２、…、または１０２４無線フレーム）を示し得る。
【００４９】
[0065]  図８Ｂは、ＭＳＩ ＭＡＣ制御要素のフォーマットを示す図７９０である。ＭＳＩ ＭＡＣ制御要素は、１ＭＳＰ毎に１回送られ得る。ＭＳＩ ＭＡＣ制御要素は、ＰＭＣＨの各スケジューリング期間の第１のサブフレームにおいて送られ得る。ＭＳＩ ＭＡＣ制御要素は、ＰＭＣＨ内の各ＭＴＣＨの停止フレームおよびサブフレームを示すことができる。ＭＢＳＦＮエリア毎のＰＭＣＨ毎に１つのＭＳＩが存在し得る。
【００５０】
[0066]  非自立型キャリアは、同期／ＳＩＢ／ＰＢＣＨシグナリングのないキャリアまたはＤＬのみでペアＵＬキャリアを有さないキャリアを含む、自立できない任意のキャリアである。非自立型キャリアは、（ＳＩＢ／ＰＢＣＨシグナリングのない）新たなキャリアタイプ（ＮＣＴ）、（同期／ＳＩＢ／ＰＢＣＨシグナリングのない）専用のＭＢＳＦＮキャリア、ＤＬのみのキャリア、または任意のＵＥのためのプライマリコンポーネントキャリア（ＰＣＣ）ではないセカンダリコンポーネントキャリア（ＳＣＣ）であり得る。非自立型キャリアは、同期、ＳＩＢ、および／ＰＢＣＨがキャリア上で送信されないため、またはキャリアが関連付けられたＵＬキャリアを有さないため、ＵＥがキャンプすることができないキャリアである。非自立型キャリアは、エンハンスドスペクトル効率、改良された異種ネットワークのためのサポート、およびエネルギー効率を提供し得る。非自立型キャリアは、レガシーＬＴＥキャリアとアグリゲートされ得る。レガシーＬＴＥキャリアは、ベースキャリアまたはＰＣＣとも称され得る。非自立型キャリア（例えば、ＮＣＴ）では、共有参照信号またはセル固有の参照信号（ＣＲＳ）が５番目のサブフレーム毎に送信され、単一のアンテナポートから送られ得、エンハンスドＰＤＣＣＨ（Ｅ−ＰＤＣＣＨ）のみがサポートされ得、ＰＤＳＣＨ送信が復調参照信号（ＤＭ−ＲＳ）に基づき得、制御チャネルの共通探索スペースが定義されず、システム情報ブロック（ＳＩＢ）またはページングが送信されない。
【００５１】
[0067]  ＬＴＥリリース１１で導入されたサービス連続性は、ＵＥが（単数または複数の）セルを変更する場合、ＭＢＳＦＮを介して（単数または複数の）ＭＢＭＳサービスを受信し始める、または受信し続けることを可能にする。ネットワークから導入されたＭＢＭＳ支援情報は、（１）ユーザサービス記述（ＵＳＤ：user service description）（ＵＳＤでは、各サービスについては、アプリケーション／サービスレイヤがＴＭＧＩ、セッション開始および終了時間、ＭＢＭＳサービスエリアに属するＭＢＭＳサービスエリアアイデンティティ（ＳＡＩ）および周波数を提供する）、および（２）システム情報（ＭＢＭＳおよび非ＭＢＭＳセルが（ＳｙｓｔｅｍＩｎｆｏｒｍａｔｉｏｎＢｌｏｃｋＴｙｐｅ１５とも称される）ＳＩＢ １５（ＳＩＢ１５）において現在の周波数および各隣接周波数のＭＢＭＳ ＳＡＩを示す）を含み得る。
【００５２】
[0068]  ＵＥは、関連するｅＭＢＭＳサービスを提供する周波数を決定し得る。サービングセルがＳＩＢ１５を提供する場合、ＵＥは、サービングセルのＳＩＢ１５に示されるような周波数の（単数または複数の）ＭＢＭＳ ＳＡＩのうちの１つがＵＳＤにおけるこのＭＢＭＳサービスのために示されるとき、周波数がＭＢＳＦＮを介してＭＢＭＳサービスを提供している、と考慮し得る。サービングセルがＳＩＢ１５を提供しない場合、（ＲＲＣ＿ＩＤＬＥ状態／モードとも称される）ＲＲＣアイドル状態／モードにあるＵＥは、（ＳｙｓｔｅｍＩｎｆｏｒｍａｔｉｏｎＢｌｏｃｋＴｙｐｅ１３とも称される）ＳＩＢ １３（ＳＩＢ１３）が提供されるセルをＵＥが再選択する限り、ＭＢＭＳサービスのためのＵＳＤに含まれる周波数がこのＭＢＭＳサービスを提供している、と考慮し得る。
【００５３】
[0069]  一度ＵＥがＭＢＭＳサービスを提供する周波数を決定すると、ＵＥは、ＲＲＣアイドル状態にある場合、セルの再選択のために対応する周波数の優先順位を決め得る、または（ＲＲＣ＿ＣＯＮＮＥＣＴＥＤ状態／モードとも称される）ＲＲＣ接続状態／モードにある場合、（ＭＢＭＳ関心インジケーションメッセージとも称される）ＲＲＣメッセージＭＢＭＳＩｎｔｅｒｓｅｔＩｎｄｉｃａｔｉｏｎにおける周波数を示し得る。しかしながら、従来のサービス連続性におけるプロシージャは、ｅＭＢＭＳサービスがベースキャリア上ではなく、非自立型キャリア上に提供される場合のシナリオには対処しない。より具体的には、ＵＥは概して非自立型キャリアのための関連付けられたベースキャリアを認識しておらず、ベースキャリアは非自立型キャリア上のｅＭＢＭＳを受信するためにＵＥに必要なシステムおよびＭＢＭＳ通知情報をすべて提供するので、ＭＢＭＳ周波数レイヤの優先順位を決めることは、ＵＥが、ＵＥにとって関心のあるサービス（a service of interest to the UE）を有する対応する非自立型キャリアにキャンプオンすること、またはそれに接続することを許可しない。よって、非自立型キャリア上のｅＭＢＭＳの受信によるサービス連続性を可能にすることが現在必要である。
【００５４】
[0070]  ＵＥが非自立型キャリア上のｅＭＢＭＳを受信するためには、ＵＥは、ベースキャリアに関連する周波数の優先順位を決めることができるようにする必要があり得る。一度ＵＥがベースキャリアにキャンプオンすると、ＵＥは、非自立型キャリア上でのｅＭＢＭＳ受信に関して要求された情報（例えば、システム情報およびＭＣＣＨ変更通知メッセージ）をすべて獲得し得る。一構成において、ＵＳＤは、サービス毎に、セッション開始および終了時間、周波数、ＭＢＭＳ ＳＡＩ、およびＴＭＧＩを提供し得る。周波数は、ベースキャリア周波数のリストおよび／または（単数または複数の）非自立型キャリア周波数を含み得る。一構成において、ベースキャリア上のＳＩＢ１５は、現在の周波数の、および各隣接周波数のＭＢＭＳ ＳＡＩを提供する。周波数がＭＢＭＳサービスエリアにおける非自立型キャリア周波数に属する場合、関連付けられたベースキャリア周波数がさらに提供され得る。ＳＩＢ１５に示されるような非自立型キャリア周波数のＳＡＩがＵＳＤに示される場合、ＵＥは、ベースキャリア周波数の優先順位を決め得る。ベースキャリアと非自立型キャリアとの間の関連付けは、ＳＩＢ１５において送られ得る、または何らかの他のＳＩＢにおいて送られ得る。
【００５５】
[0071]  ｅＮＢがＳＩＢ１５をブロードキャストせず、ＵＥがサービス連続性のためだけにＵＳＤに依存し得る、ある特定の展開シナリオが存在する。よって、セルがサービス連続性をサポートしないシナリオに対して備える（provision）ために、（１）周波数がＭＢＭＳサービスエリアにおける非自立型キャリア周波数に属する場合、関連付けられたベースキャリア周波数が、ＵＳＤにおいてさらに提供され得る、および（２）ベースキャリアおよび非自立型キャリアの周波数情報が、動作、管理、および維持（ＯＡＭ）エンティティを介してＢＭ−ＳＣに利用可能にされ得る。
【００５６】
[0072]  周波数の優先順位付けは、セルの再選択を実行するためのＲＲＣアイドル状態にあるＵＥに有効であり得る。ＲＲＣ接続状態にあるＵＥでは、ＵＥは、ＭＢＭＳ関心インジケーションメッセージにおいて関心のある周波数（a frequency of interest）を示し得る。ＵＥが非自立型キャリア上に提供された周波数上のＭＢＭＳサービスに関心がある場合、ＵＥは、ＭＢＭＳ関心インジケーションメッセージにおけるベースキャリア周波数または非自立型キャリア周波数のいずれかを示し得る。ｅＮＢにおける非自立型キャリアとベースキャリアとの間の隣接周波数の関連付けの知識（knowledge）を持って、ソースセルは、それに応じて必要であれば対応するターゲットセルにＵＥをハンドオーバし得る。一構成において、ＵＥが関連付けられた非自立型キャリア上に提供されたサービスに関心がある場合、ＵＥはベースキャリア周波数を示す。ＵＥは、同じベースキャリアに関連する異なる非自立型キャリア上でその関心を変更し得るので、非自立型キャリア周波数をシグナリングすることは、ＵＥからＭＢＭＳ関心インジケーションを頻繁に報告することとなり、それによりシステムオーバヘッドが増加する。
【００５７】
[0073]  １つの非自立型キャリアは、複数のベースキャリアにアタッチされ得る。ＳＩＢ１５または他のＳＩＢは、同じ非自立型キャリアに関連するベースキャリア周波数のリストを示し得、ここで、ベースキャリア周波数のリストは、各ベースキャリアに関連する各周波数を有する複数の周波数を含む。オプションで、ＵＳＤは、同じ非自立型キャリアに関連するベースキャリア周波数のリストを提供し得る。ＵＥは、ベースキャリアの優先順位を決め得る、または最良のユニキャスト測定値（unicast measurement）を有するベースキャリア周波数を示し得る。
【００５８】
[0074]  ｅＭＢＭＳが非自立型キャリア周波数上でサポートされた場合のサービス連続性に関する設計態様は、上に提供されている。ＵＳＤは、サービス毎に、セッション開始および終了時間、周波数、ＭＢＭＳ ＳＡＩ、およびＴＭＧＩを提供し得る。周波数は、ベースキャリア周波数および／または非自立型キャリア周波数を含み得る。ＳＩＢ１５は、現在の周波数の、および各隣接周波数のＭＢＭＳ ＳＡＩを提供し得る。周波数がＭＢＭＳサービスエリアにおける非自立型キャリアに属する場合、関連付けられたベースキャリア周波数のリストがさらに提供され得る。そのような関連付けは、ＳＩＢ１５に追加され得る、または別のＳＩＢにおいて送られ得る。ＳＩＢ１５に示されるような非自立型キャリア周波数のＳＡＩがＵＳＤに示される場合、ＵＥは、ベースキャリア周波数の優先順位を決め得る。２つ以上のベースキャリア周波数が関連付けられたリストに含まれる場合、ＵＥは、最良のユニキャスト測定値（例えば、最高ＲＳＲＰおよび／ＲＳＲＱ）を有するベースキャリアの優先順位を決め得る。あるいは、２つ以上のベースキャリア周波数が関連付けられたリストに含まれる場合、ＵＥは、等しい優先順位を有する、関連付けられたリストにおけるすべてのベースキャリア周波数の優先順位を決め得る。ＲＲＣアイドル状態にあるＵＥは、３ＧＰＰ ＴＳ ３６．３０４で定義されるようなユニキャスト測定値に基づく等しい優先セル再選択基準（equal priority cell reselection criteria）に従い得る。ＲＲＣ接続状態にあるＵＥは、好まれる周波数として最良のユニキャスト測定値を有する、関連付けられたリストの中の周波数を示し得る。ユニキャスト測定値は、典型的に、３ＧＰＰ ＴＳ ３６．２１４で定義されるようなＲＳＲＰおよび／ＲＳＲＱから成る。セルがサービス連続性をサポートしないシナリオに対して備えるために、（１）周波数がＭＢＭＳサービスエリアにおける非自立型キャリア周波数に属する場合、関連付けられたベースキャリア周波数のリストが、ＵＳＤにさらに提供され得る（２つ以上のベースキャリア周波数が関連付けられたリストに含まれる場合、ＵＥが、最良のユニキャスト測定値を有するベースキャリアの優先順位を決め得る）、および（２）非自立型キャリアおよびベースキャリアの周波数情報が、ＯＡＭエンティティを介してＢＭ−ＳＣに利用可能にされ得る。関心のあるサービスが非自立型キャリア上に提供される場合、ＲＲＣ接続状態にあるＵＥは、非自立型キャリア周波数ではなく、関連付けられたベースキャリア周波数をシグナリングし得る。２つ以上のベースキャリア周波数が同じ非自立型キャリアについての関連付けられたリストに含まれる場合、ＵＥは最良のユニキャスト測定値を有する関連付けられたリストの中のベースキャリア周波数を示し得る。
【００５９】
[0075]  図９は、典型的な方法を示す図９００である。図９に示されるように、ネットワークエンティティ（例えば、ｅＮＢ）９０４は、利用可能なＭＢＭＳサービス、利用可能なＭＢＭＳサービスが提供される非自立型キャリア（例えば、ＮＣＴ、専用のＭＢＳＦＮキャリア、ペアＵＬキャリアのないＤＬのみのキャリア、または別のＵＥのためのＰＣＣではないＳＣＣ）周波数９１６、および非自立型キャリア周波数９１６がアタッチされる（１つのＰＣＣ周波数９１４を含む）１つ以上のＰＣＣ周波数を示す情報９０８を受信する。ネットワークエンティティは、情報９１０をＵＥ９０２に送る。ＰＣＣと非自立型キャリア周波数との関係に関する少なくとも４つの起こり得るシナリオが存在する：（１）ＵＥがＲＣＣ接続状態にある場合、非自立型キャリア周波数は、ＰＣＣのＳＣＣとしてＵＥに割り当てられ得る；（２）ＵＥがＲＣＣ接続状態にある場合、非自立型キャリア周波数は、ＳＣＣとしてＵＥに割り当てられず、ＵＥは、ＰＣＣ上のシステム情報ブロードキャスト毎に非自立型キャリア周波数のセルを選択し得る；（３）ＵＥがＲＣＣアイドル状態にある場合、ＵＥは、ＰＣＣと非自立型キャリア周波数を同時に受信し得る；および（４）ＵＥがＲＣＣアイドル状態にある場合、非自立型キャリア周波数およびＰＣＣは、時分割多重（ＴＤＭ）において受信機を共有し得る（例えば、非自立型キャリアおよびＰＣＣは、時分割多重化され、ＵＥは、他のキャリアを受信するためにある１つのキャリアからチューンアウェイ（tune away）する必要がある）。
【００６０】
[0076]  一構成において、ネットワークエンティティ９０４は、ＵＥ９０２から１つ以上のＰＣＣ周波数のうちの１つのＰＣＣ周波数９１４についてのプリファレンス９１２を受信し得る。１つのＰＣＣ周波数９１４および非自立型キャリア周波数９１６は、ネットワークエンティティ（例えば、ｅＮＢ）９０６に関連する。ネットワークエンティティ９０４は、ＵＥ９０２によって好まれる１つのＰＣＣ周波数９１４にＵＥ９０２をハンドオフし得る（すなわち、ＵＥは好まれる周波数でセルにハンドオフされる）。一構成において、ネットワークエンティティ９０４は、ＵＥ９０２から非自立型キャリア周波数９１６についてのプリファレンスを受信し得る。ネットワークエンティティ９０４は、非自立型キャリア周波数９１６にアタッチされるＰＣＣ周波数９１４にＵＥ９０２をハンドオフし得る。ＰＣＣ周波数９１４は、１つ以上のＰＣＣ周波数のうちの１つであり得る。非自立型キャリア周波数９１６は、ＮＣＴ、専用のＭＢＳＦＮキャリア周波数、ＤＬのみのキャリア周波数、または別のＵＥのためのＰＣＣ周波数ではないＳＣＣ周波数であり得る。
【００６１】
[0077]  ＵＥ９０２は、利用可能なＭＢＭＳサービス、利用可能なＭＢＭＳサービスが提供される非自立型キャリア周波数９１６、および非自立型キャリア周波数９１６がアタッチされる１つ以上のＰＣＣ周波数を示す情報９１０受信し得る。ＵＥ９０２は、非自立型キャリア周波数９１６上で利用可能なＭＢＭＳサービスを受信するための情報を取得するために、１つ以上のＰＣＣ周波数のうちの１つのＰＣＣ周波数９１４についてのプリファレンスを選択する。ＵＥ９０２は、取得された情報９１０に基づいて非自立型キャリア周波数９１６上で利用可能なＭＢＭＳサービスを受信する。非自立型キャリア周波数９１６は、ＮＣＴ、専用のＭＢＳＦＮキャリア周波数、ＤＬのみのキャリア周波数、または別のＵＥのためのＰＣＣ周波数ではないＳＣＣ周波数であり得る。情報９１０は、（ＢＭ−ＳＣから生じる）ＵＳＤまたはＳＩＢのうちの少なくとも１つにおいて受信され得る。ＳＩＢは、ＳＩＢ１５または他のＳＩＢであり得る。
【００６２】
[0078]  ＵＥ９０２は、ＵＳＤを受信し得る。ＵＳＤは、非自立型キャリア周波数９１６がアタッチされる１つ以上のＰＣＣ周波数を示し得る。ＵＥ９０２は、ＳＩＢを受信し得る。ＳＩＢは、非自立型キャリア周波数がアタッチされる１つ以上のＰＣＣ周波数を示し得る。ＵＥ９０２は、ＳＩＢを受信し得る。ＳＩＢは、複数の周波数および非自立型キャリア周波数である複数の周波数の各々についての１つ以上のＰＣＣ周波数を示し得る。ＵＥ９０２は、ＵＳＤおよびＳＩＢを受信し得る。ＵＳＤは、利用可能なＭＢＭＳサービスに関連する第１のＳＡＩを示し得、ＳＩＢは、非自立型キャリア周波数９１６および非自立型キャリア周波数９１６がアタッチされる１つ以上のＰＣＣ周波数に関連する第２のＳＡＩを示し得る。ＵＥ９０２は、第１のＳＡＩおよび第２のＳＡＩが同じである場合、１つのＰＣＣ周波数９１４についてのプリファレンスを選択し得る。
【００６３】
[0079]  ＵＥ９０２は、１つ以上のＰＣＣ周波数が１より大きい場合、ユニキャスト測定値に基づいて１つのＰＣＣ周波数９１４についてのプリファレンスを選択し得る。ＵＥ９０２は、等しい優先順位を有する１つ以上のＰＣＣ周波数の優先順位を決めることで１つのＰＣＣ周波数９１４についてのプリファレンスを選択し得る。ＵＥ９０２は、ＵＥがＲＲＣアイドル状態にある場合、３ＧＰＰ ＴＳ ３６．３０４で定義されるようなユニキャスト測定値に基づく等しい優先セル再選択基準に従い、１つのＰＣＣ周波数９１４が好まれることを決定し得る。ＵＥ９０２は、ＵＥ９０２がＲＲＣ接続状態にある場合、１つのＰＣＣ周波数９１４または非自立型キャリア周波数９１６を示すＭＢＭＳ関心インジケーションメッセージを送ることで１つのＰＣＣ周波数９１４についてのプリファレンスを選択し得る。ＭＢＭＳ関心インジケーションメッセージは、ＵＥ９０２がＲＲＣ接続状態にある場合、１つのＰＣＣ周波数９１４を示し得る。
【００６４】
[0080]  上記に説明されたサービス連続性およびサービス発見の概念（service discovery）はまた、隣接セルのためのＭＢＳＦＮエリアにわたるサービス連続性およびサービス発見まで拡張されることができる。この場合は、サービングｅＮＢは、利用可能なＭＢＭＳサービスが提供される非自立型キャリア周波数に関連する利用可能なサービスエリアＩＤ、および非自立型キャリア周波数がアタッチされる１つ以上のセルアイデンティティを示す。ＵＥは、ＵＥがＲＲＣアイドル状態にある場合、関心のあるＭＢＭＳサービスを受信するために非自立型キャリア周波数がアタッチされる隣接セルを選択し得る。ＲＲＣ接続状態では、ＵＥは、関心のあるＭＢＭＳサービスを受信するために非自立型キャリア周波数がアタッチされる、好まれるセルアイデンティティを報告し得る。
【００６５】
[0081]  図１０は、ワイヤレス通信の第１の方法のフローチャートである。方法は、ＵＥによって実行され得る。ステップ１００２において、ＵＥは、利用可能なＭＢＭＳサービス、利用可能なＭＢＭＳサービスが提供される非自立型キャリア周波数、および非自立型キャリア周波数がアタッチされる１つ以上のＰＣＣ周波数を示す情報を受信する。非自立型キャリア周波数は、ＮＣＴ、専用のＭＢＳＦＮキャリア周波数、ＤＬのみのキャリア周波数、または別のＵＥのためのＰＣＣ周波数ではないＳＣＣ周波数であり得る。ステップ１００２において、情報は、ＵＳＤまたはＳＩＢにおいて受信され得る。一例において、情報はＳＩＢ１５において受信され得る。一例において、ステップ１００２では、ＵＥはＵＳＤを受信し、ＵＳＤは非自立型キャリア周波数がアタッチされる１つ以上のＰＣＣ周波数を示す。別の例において、ステップ１００２では、ＵＥはＳＩＢを受信し、ＳＩＢは非自立型キャリア周波数がアタッチされる１つ以上のＰＣＣ周波数を示す。別の例において、ステップ１００２では、ＵＥはＳＩＢを受信し、ＳＩＢは複数の周波数および非自立型キャリア周波数である複数の周波数の各々についての１つ以上のＰＣＣ周波数を示す。さらに別の例において、ステップ１００２では、ＵＥはＵＳＤおよびＳＩＢを受信する。ＵＳＤは、利用可能なＭＢＭＳサービスに関連する第１のＳＡＩを示し得、ＳＩＢは、非自立型キャリア周波数および非自立型キャリア周波数がアタッチされる１つ以上のＰＣＣ周波数に関連する第２のＳＡＩを示し得る。ＵＥは、第１のＳＡＩおよび第２のＳＡＩが同じである場合、１つのＰＣＣ周波数についてのプリファレンスを選択し得る。ステップ１００４において、ＵＥは、非自立型キャリア周波数上で利用可能なＭＢＭＳサービスを受信するための情報を取得するために、１つ以上のＰＣＣ周波数のうちの１つのＰＣＣ周波数についてのプリファレンスを選択する。一例において、ステップ１００４では、ＵＥは、１つ以上のＰＣＣ周波数が１より大きい場合、ユニキャスト測定値に基づいて１つのＰＣＣ周波数についてのプリファレンスを選択し得る。一例において、ステップ１００４では、ＵＥがＲＲＣアイドル状態にある場合、ＵＥは、１つのＰＣＣ周波数の優先順位を決めることで１つのＰＣＣ周波数についてのプリファレンスを選択し得る。一例において、ステップ１００４では、ＵＥがＲＲＣ接続状態にある場合、ＵＥは、１つのＰＣＣ周波数または非自立型キャリア周波数を示すＭＢＭＳ関心インジケーションメッセージを送ることで１つのＰＣＣ周波数についてのプリファレンスを選択し得る。ＵＥがＲＲＣ接続状態にある場合、ＭＢＭＳ関心インジケーションメッセージは、１つのＰＣＣ周波数を示し得る。ステップ１００６において、ＵＥは、取得された情報に基づいて非自立型キャリア周波数上で利用可能なＭＢＭＳサービスを受信する。
【００６６】
[0082]  図１１は、ワイヤレス通信の第２の方法のフローチャートである。方法は、ｅＮＢのような、ネットワークエンティティによって実行され得る。ステップ１１０２において、ネットワークエンティティは、利用可能なＭＢＭＳサービス、利用可能なＭＢＭＳサービスが提供される非自立型キャリア周波数、および非自立型キャリア周波数がアタッチされる１つ以上のＰＣＣ周波数を示す情報を受信する。非自立型キャリア周波数は、ＮＣＴ、専用のＭＢＳＦＮキャリア周波数、ＤＬのみのキャリア周波数、または別のＵＥのためのＰＣＣ周波数ではないＳＣＣ周波数であり得る。ステップ１１０４において、ネットワークエンティティは、情報をＵＥに送る。ステップ１１０６において、ネットワークエンティティは、ＵＥから１つ以上のＰＣＣ周波数のうちの１つのＰＣＣ周波数についてのプリファレンスを、またはＵＥから非自立型キャリア周波数についてのプリファレンスを、受信する。ステップ１１０８において、ネットワークエンティティは、ＵＥによって好まれる１つのＰＣＣ周波数に、または非自立型キャリア周波数にアタッチされるＰＣＣ周波数に、ＵＥをハンドオフする。ＰＣＣ周波数は、１つ以上のＰＣＣ周波数のうちの１つである。
【００６７】
[0083]  図１２は、典型的な装置１２０２における異なるモジュール／手段／コンポーネント間のデータフローを示す概念的なデータフロー図１２００である。装置は、ＵＥであり得る。装置は、利用可能なＭＢＭＳサービス、利用可能なＭＢＭＳサービスが提供される非自立型キャリア周波数、および非自立型キャリア周波数がアタッチされる１つ以上のＰＣＣ周波数を示す情報を受信するように構成された受信モジュール１２０４を含む。受信モジュール１２０４は、ＭＢＭＳモジュール１２０８に受信された情報を提供するように構成され得る。受信モジュール１２０４は、第１のセル１２５０から情報を受信し得る。装置は、さらに、非自立型キャリア周波数上で利用可能なＭＢＭＳサービスを受信するための情報を取得するために、１つ以上のＰＣＣ周波数のうちの１つのＰＣＣ周波数についてのプリファレンスを選択するように構成されたプリファレンス選択モジュール１２０６を含む。受信モジュール１２０４は、取得された情報に基づいて非自立型キャリア周波数上で利用可能なＭＢＭＳサービスを受信するようにさらに構成され得る。受信モジュール１２０４は、ＭＢＭＳモジュール１２０８に利用可能なＭＢＭＳサービスを提供するように構成され得る。受信モジュール１２０４は、第２のセル１２６０から利用可能なＭＢＭＳサービスを受信し得る。第１および第２のセル１２５０、１２６０は、同じｅＮＢに関連し得る、または異なるｅＮＢに関連し得る。
【００６８】
[0084]  非自立型キャリア周波数は、ＮＣＴ、専用のＭＢＳＦＮキャリア周波数、ＤＬのみのキャリア周波数、または別のＵＥのためのＰＣＣ周波数ではないＳＣＣ周波数であり得る。情報は、ＵＳＤまたはＳＩＢにおいて受信され得る。受信モジュール１２０４は、ＭＢＭＳモジュール１２０８にＵＳＤ／ＳＩＢを提供し得る。情報が受信されるＳＩＢは、ＳＩＢ１５であり得る。受信モジュール１２０４は、ＵＳＤが、非自立型キャリア周波数がアタッチされる１つ以上のＰＣＣ周波数を示すＵＳＤを受信するように構成され得る。受信モジュール１２０４は、ＳＩＢが、非自立型キャリア周波数がアタッチされる１つ以上のＰＣＣ周波数を示すＳＩＢを受信するように構成され得る。受信モジュール１２０４は、ＳＩＢが、複数の周波数および非自立型キャリア周波数である複数の周波数の各々についての１つ以上のＰＣＣ周波数を示すＳＩＢを受信するように構成され得る。受信モジュール１２０４は、ＵＳＤおよびＳＩＢを受信するように構成され得る。そのような構成において、ＵＳＤは、利用可能なＭＢＭＳサービスに関連する第１のＳＡＩを示し、ＳＩＢは、非自立型キャリア周波数および非自立型キャリア周波数がアタッチされる１つ以上のＰＣＣ周波数に関連する第２のＳＡＩを示す。さらに、プリファレンス選択モジュール１２０６は、第１のＳＡＩおよび第２のＳＡＩが同じである場合、１つのＰＣＣ周波数についてのプリファレンスを選択するように構成される。プリファレンス選択モジュール１２０６は、１つ以上のＰＣＣ周波数が１より大きい場合、ユニキャスト測定値に基づいて１つのＰＣＣ周波数についてのプリファレンスを選択するように構成され得る。プリファレンス選択モジュール１２０６は、ＵＥがＲＲＣアイドル状態にある場合、１つのＰＣＣ周波数の優先順位を決めることで１つのＰＣＣ周波数についてのプリファレンスを選択するように構成され得る。プリファレンス選択モジュール１２０６は、ＵＥがＲＲＣ接続状態にある場合、１つのＰＣＣ周波数または非自立型キャリア周波数を示すＭＢＭＳ関心インジケーションメッセージを送ることで１つのＰＣＣ周波数についてのプリファレンスを選択するように構成され得る。ＭＢＭＳ関心インジケーションメッセージは、ＵＥがＲＲＣ接続状態にある場合、１つのＰＣＣ周波数を示し得る。
【００６９】
[0085]  装置は、前述の図１０のフローチャートにおけるアルゴリズムのステップの各々を実行する更なるモジュールを含み得る。したがって、前述の図１０のフローチャートにおける各ステップはモジュールによって実行され得、装置は、これらのモジュールのうちの１つ以上を含み得る。モジュールは、述べられたプロセス／アルゴリズムを実施するように特に構成された１つ以上のハードウェアコンポーネントであるか、述べられたプロセス／アルゴリズムを実行するように構成されたプロセッサによって実現されるか、プロセッサによる実現のためにコンピュータ可読媒体内に記憶されるか、またはこれらの何らかの組み合わせであり得る。
【００７０】
[0086]  図１３は、処理システム１３１４を用いる装置１２０２’のためのハードウェア実現の例を示す図１３００である。処理システム１３１４は、概してバス１３２４によって表される、バスアーキテクチャで実現され得る。バス１３２４は、処理システム１３１４の特定のアプリケーションおよび全体的な設計制約に依存して、任意の数の相互接続バスおよびブリッジを含み得る。バス１３２４は、プロセッサ１３０４、モジュール１２０４、１２０６、１２０８、および１２１０、並びにコンピュータ可読媒体／メモリ１３０６によって表される、１つ以上のプロセッサおよび／またはハードウェアモジュールを含む様々な回路を共にリンクさせる。バス１３２４はまた、タイミングソース、周辺機器、電圧レギュレータ、および電力管理回路のような様々な他の回路をリンクさせ得るが、これらは当該技術分野において周知であるため、これ以上は説明されない。
【００７１】
[0087]  処理システム１３１４は、トランシーバ１３１０に結合され得る。トランシーバ１３１０は、１つ以上のアンテナ１３２０に結合される。トランシーバ１３１０は、送信媒体を介して他の様々な装置と通信するための手段を提供する。トランシーバ１３１０は、１つ以上のアンテナ１３２０から信号を受信し、受信された信号から情報を抽出し、抽出された情報を処理システム１３１４に提供する。加えて、トランシーバ１３１０は、処理システム１３１４から情報を受信し、受信された情報に基づいて、１つ以上のアンテナ１３２０に適用される信号を生成する。処理システム１３１４は、コンピュータ可読媒体／メモリ１３０６に結合されたプロセッサ１３０４を含む。プロセッサ１３０４は、コンピュータ可読媒体／メモリ１３０６に記憶されたソフトウェアの実行を含む、一般的な処理を担う。ソフトウェアは、プロセッサ１３０４によって実行されたとき、処理システム１３１４に、任意の特定の装置に関して上記に説明された様々な機能を実行させる。コンピュータ可読媒体／メモリ１３０６はまた、ソフトウェアを実行するとき、プロセッサ１３０４によって操作されるデータを記憶するために使用され得る。処理システムはさらに、モジュール１２０４、１２０６、１２０８、および１２１０のうちの少なくとも１つを含む。モジュールは、プロセッサ１３０４において実行中の、コンピュータ可読媒体／メモリ１３０６中に存在する／記憶されたソフトウェアモジュール、プロセッサ１３０４に結合された１つ以上のハードウェアモジュール、またはこれらの何らかの組み合わせであり得る。処理システム１３１４は、ＵＥ１２０のコンポーネントであり得、メモリ６８２および／またはＴＸプロセッサ６６４、ＲＸプロセッサ６５８、およびコントローラ／プロセッサ６８０のうちの少なくとも１つを含み得る。
【００７２】
[0088]  一構成において、ワイヤレス通信のための装置１２０２／１２０２’は、利用可能なＭＢＭＳサービス、利用可能なＭＢＭＳサービスが提供される非自立型キャリア周波数、および非自立型キャリア周波数がアタッチされる１つ以上のＰＣＣ周波数を示す情報を受信するための手段を含む。装置は、非自立型キャリア周波数上で利用可能なＭＢＭＳサービスを受信するための情報を取得するために、１つ以上のＰＣＣ周波数のうちの１つのＰＣＣ周波数についてのプリファレンスを選択するための手段をさらに含む。装置は、取得された情報に基づいて非自立型キャリア周波数上で利用可能なＭＢＭＳサービスを受信するための手段をさらに含む。
【００７３】
[0089]  非自立型キャリア周波数は、ＮＣＴ、専用のＭＢＳＦＮキャリア周波数、ＤＬのみのキャリア周波数、または別のＵＥのためのＰＣＣ周波数ではないＳＣＣ周波数であり得る。情報は、ＵＳＤまたはＳＩＢのうちの少なくとも１つにおいて受信され得る。ＳＩＢは、ＳＩＢ１５であり得る。一構成において、装置は、ＵＳＤを受信するための手段をさらに含み、ＵＳＤは、非自立型キャリア周波数がアタッチされる１つ以上のＰＣＣ周波数を示す。一構成において、装置は、ＳＩＢを受信するための手段をさらに含み、ＳＩＢは、非自立型キャリア周波数がアタッチされる１つ以上のＰＣＣ周波数を示す。一構成において、装置は、ＳＩＢを受信するための手段をさらに含み、ＳＩＢは、複数の周波数および非自立型キャリア周波数である複数の周波数の各々についての１つ以上のＰＣＣ周波数を示す。一構成において、装置は、ＵＳＤおよびＳＩＢを受信するための手段をさらに含む。そのような構成において、ＵＳＤは、利用可能なＭＢＭＳサービスに関連する第１のＳＡＩを示し、ＳＩＢは、非自立型キャリア周波数および非自立型キャリア周波数がアタッチされる１つ以上のＰＣＣ周波数に関連する第２のＳＡＩを示し、第１のＳＡＩおよび第２のＳＡＩが同じである場合に１つのＰＣＣ周波数についてのプリファレンスが選択される。一構成において、１つのＰＣＣ周波数についてのプリファレンスを選択するための手段は、１つ以上のＰＣＣ周波数が１より大きい場合、ユニキャスト測定値に基づいて１つのＰＣＣ周波数についてのプリファレンスを選択するように構成される。一構成において、１つのＰＣＣ周波数についてのプリファレンスを選択するための手段は、ＵＥがＲＲＣアイドル状態にある場合、１つのＰＣＣ周波数の優先順位を決めるように構成される。一構成において、１つのＰＣＣ周波数についてのプリファレンスを選択するための手段は、ＵＥがＲＲＣ接続状態にある場合、１つのＰＣＣ周波数または非自立型キャリア周波数を示すＭＢＭＳ関心インジケーションメッセージを送るように構成される。ＭＢＭＳ関心インジケーションメッセージは、ＵＥがＲＲＣ接続状態にある場合、１つのＰＣＣ周波数を示し得る。
【００７４】
[0090]  前述の手段は、前述の手段によって記載された機能を実行するように構成された装置１２０２’の処理システム１３１４および／または装置１２０２の前述のモジュールのうちの１つ以上であり得る。上記に説明されたように、処理システム１３１４は、ＴＸプロセッサ６６４、ＲＸプロセッサ６５８、およびコントローラ／プロセッサ６８０を含み得る。したがって、一構成において、前述の手段は、前述の手段によって記載された機能を実行するように構成されたＴＸプロセッサ６６４、ＲＸプロセッサ６５８、およびコントローラ／プロセッサ６８０であり得る。
【００７５】
[0091]  図１４は、典型的な装置１４０２における異なるモジュール／手段／コンポーネント間のデータフローを示す概念的なデータフロー図１４００である。装置は、ネットワークエンティティ（ｅＮＢ）であり得る。装置は、利用可能なＭＢＭＳサービス、利用可能なＭＢＭＳサービスが提供される非自立型キャリア周波数、および非自立型キャリア周波数がアタッチされる１つ以上のＰＣＣ周波数を示す情報を受信するように構成された受信モジュール１４０４を含む。情報または情報サブセット（例えば、ＵＳＤ）は、ＢＭ−ＳＣ１４４０から受信され得る。受信モジュール１４０４は、ＭＢＭＳモジュール１４０８に受信された情報を提供するように構成される。装置は、ＭＢＭＳモジュール１４０８から情報を受信し、情報をＵＥ１４５０に送るように構成された送信モジュール１４１０をさらに含む。
【００７６】
[0092]  受信モジュール１４０４は、ＵＥから１つ以上のＰＣＣ周波数のうちの１つのＰＣＣ周波数についてのプリファレンスを受信するように構成され得る。装置は、ＵＥによって好まれる１つのＰＣＣ周波数にＵＥをハンドオフするように構成されたハンドオフモジュール１４０６をさらに含み得る。受信モジュール１４０４は、ＵＥから非自立型キャリア周波数についてのプリファレンスを受信するように構成され得る。ハンドオフモジュール１４０６は、非自立型キャリア周波数にアタッチされるＰＣＣ周波数にＵＥをハンドオフするように構成され得る。ＰＣＣ周波数は、１つ以上のＰＣＣ周波数のうちの１つである。非自立型キャリア周波数は、ＮＣＴ、専用のＭＢＳＦＮキャリア周波数、ＤＬのみのキャリア周波数、または別のＵＥのためのＰＣＣ周波数ではないＳＣＣ周波数であり得る。
【００７７】
[0093]  装置は、前述の図１１のフローチャートにおけるアルゴリズムのステップの各々を実行する更なるモジュールを含み得る。したがって、前述の図１１のフローチャートにおける各ステップはモジュールによって実行され得、装置は、これらのモジュールのうちの１つ以上を含み得る。モジュールは、述べられたプロセス／アルゴリズムを実施するように特に構成された１つ以上のハードウェアコンポーネントであるか、述べられたプロセス／アルゴリズムを実行するように構成されたプロセッサによって実現されるか、プロセッサによる実現のためにコンピュータ可読媒体内に記憶されるか、またはこれらの何らかの組み合わせであり得る。
【００７８】
[0094]  図１５は、処理システム１５１４を用いる装置１４０２’のためのハードウェア実現の例を示す図１５００である。処理システム１５１４は、概してバス１５２４によって表される、バスアーキテクチャで実現され得る。バス１５２４は、処理システム１５１４の特定のアプリケーションおよび全体的な設計制約に依存して、任意の数の相互接続バスおよびブリッジを含み得る。バス１５２４は、プロセッサ１５０４、モジュール１４０４、１４０６、１４０８、および１４１０、並びにコンピュータ可読媒体／メモリ１５０６によって表される、１つ以上のプロセッサおよび／またはハードウェアモジュールを含む様々な回路を共にリンクさせる。バス１５２４はまた、タイミングソース、周辺機器、電圧レギュレータ、および電力管理回路のような様々な他の回路をリンクさせ得るが、これらは当該技術分野において周知であるため、これ以上は説明されない。
【００７９】
[0095]  処理システム１５１４は、トランシーバ１５１０に結合され得る。トランシーバ１５１０は、１つ以上のアンテナ１５２０に結合される。トランシーバ１５１０は、送信媒体を介して他の様々な装置と通信するための手段を提供する。トランシーバ１５１０は、１つ以上のアンテナ１５２０から信号を受信し、受信された信号から情報を抽出し、抽出された情報を処理システム１５１４に提供する。加えて、トランシーバ１５１０は、処理システム１５１４から情報を受信し、受信された情報に基づいて、１つ以上のアンテナ１５２０に適用される信号を生成する。処理システム１５１４は、コンピュータ可読媒体／メモリ１５０６に結合されたプロセッサ１５０４を含む。プロセッサ１５０４は、コンピュータ可読媒体／メモリ１５０６に記憶されたソフトウェアの実行を含む、一般的な処理を担う。ソフトウェアは、プロセッサ１５０４によって実行されたとき、処理システム１５１４に、任意の特定の装置に関して上記に説明された様々な機能を実行させる。コンピュータ可読媒体／メモリ１５０６はまた、ソフトウェアを実行するとき、プロセッサ１５０４によって操作されるデータを記憶するために使用され得る。処理システムはさらに、モジュール１４０４、１４０６、１４０８、および１４１０のうちの少なくとも１つを含む。モジュールは、プロセッサ１５０４において実行中の、コンピュータ可読媒体／メモリ１５０６中に存在する／記憶されたソフトウェアモジュール、プロセッサ１５０４に結合された１つ以上のハードウェアモジュール、またはこれらの何らかの組み合わせであり得る。処理システム１５１４は、ｅＮＢ１１０のコンポーネントであり得、メモリ６４２および／またはＴＸプロセッサ６２０、ＲＸプロセッサ６３８、およびコントローラ／プロセッサ６４０のうちの少なくとも１つを含み得る。
【００８０】
[0096]  一構成において、ワイヤレス通信のための装置１４０２／１４０２’は、利用可能なＭＢＭＳサービス、利用可能なＭＢＭＳサービスが提供される非自立型キャリア周波数、および非自立型キャリア周波数がアタッチされる１つ以上のＰＣＣ周波数を示す情報を受信するための手段を含む。装置は、ＵＥに情報を送るための手段をさらに含む。装置は、ＵＥから１つ以上のＰＣＣ周波数のうちの１つのＰＣＣ周波数についてのプリファレンスを受信するための手段をさらに含み得る。装置は、ＵＥによって好まれる１つのＰＣＣ周波数にＵＥをハンドオフするための手段をさらに含み得る。装置は、ＵＥから非自立型キャリア周波数についてのプリファレンスを受信するための手段をさらに含み得る。装置は、非自立型キャリア周波数にアタッチされるＰＣＣ周波数にＵＥをハンドオフするための手段をさらに含み得、ＰＣＣ周波数は、１つ以上のＰＣＣ周波数のうちの１つである。非自立型キャリア周波数は、ＮＣＴ、専用のＭＢＳＦＮキャリア周波数、ＤＬのみのキャリア周波数、または別のＵＥのためのＰＣＣ周波数ではないＳＣＣ周波数であり得る。
【００８１】
[0097]  前述の手段は、前述の手段によって記載された機能を実行するように構成された装置１４０２’の処理システム１５１４および／または装置１４０２の前述のモジュールのうちの１つ以上であり得る。上記に説明されたように、処理システム１５１４は、ＴＸプロセッサ６２０、ＲＸプロセッサ６３８、およびコントローラ／プロセッサ６４０を含み得る。したがって、一構成において、前述の手段は、前述の手段によって記載された機能を実行するように構成されたＴＸプロセッサ６２０、ＲＸプロセッサ６３８、およびコントローラ／プロセッサ６４０であり得る。
【００８２】
[0098]  当業者は、情報および信号が、様々な異なる技術および技法のうちのいずれかを使用して表され得ることを理解するであろう。例えば、上記説明の全体にわたって参照され得るデータ、命令、コマンド、情報、信号、ビット、シンボル、およびチップは、電圧、電流、電磁波、磁場または磁性粒子、光場または光粒子、あるいはこれらの任意の組み合わせによって表され得る。
【００８３】
[0099]  当業者はさらに、本明細書の開示に関連して説明された様々な例示的な論理ブロック、モジュール、回路、およびアルゴリズムステップが、電子ハードウェア、コンピュータソフトウェア、または両方の組み合わせとして実現され得ることを理解するであろう。ハードウェアとソフトウェアとのこの互換性を明確に示すために、様々な例示的なコンポーネント、ブロック、モジュール、回路、およびステップが、それらの機能の観点から一般的に上述されている。そのような機能がハードウェアとして実現されるかソフトウェアとして実現されるかは、システム全体に課された特定のアプリケーションおよび設計の制約に依存する。当業者は、説明された機能を、特定のアプリケーション毎に異なる方法で実現し得るが、そのような実現の決定は、本開示の範囲からの逸脱を生じるものとして解釈されるべきではない。
【００８４】
[00100]  本明細書の開示に関連して説明された様々な例示的な論理ブロック、モジュール、および回路は、本明細書で説明された機能を実行するように設計された汎用プロセッサ、デジタルシグナルプロセッサ（ＤＳＰ）、特定用途向け集積回路（ＡＳＩＣ）、フィールドプログラマブルゲートアレイ（ＦＰＧＡ）、または他のプログラマブル論理デバイス、離散ゲートまたはトランジスタ論理、離散ハードウェアコンポーネント、またはこれらの任意の組み合わせで、実現または実行され得る。汎用プロセッサは、マイクロプロセッサであり得るが、代替において、このプロセッサは、任意の従来のプロセッサ、コントローラ、マイクロコントローラ、またはステートマシン（state machine）であり得る。プロセッサはまた、例えば、ＤＳＰとマイクロプロセッサの組み合わせ、複数のマイクロプロセッサ、ＤＳＰコアと連結した１つ以上のマイクロプロセッサ、または任意の他のそのような構成のような、コンピューティングデバイスの組み合わせとして実現され得る。
【００８５】
[00101]  本明細書の開示に関連して説明された方法またはアルゴリズムのステップは、ハードウェアで直接的に、プロセッサによって実行されるソフトウェアモジュールで、またはその２つの組み合わせで、具現化され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当該技術で既知の任意の他の形態の記憶媒体内に存在し得る。典型的な記憶媒体は、プロセッサが記憶媒体から情報を読み取り、かつ記憶媒体に情報を書き込むことができるように、プロセッサに結合される。代替において、記憶媒体はプロセッサに一体化され得る。プロセッサおよび記憶媒体はＡＳＩＣ内に存在し得る。ＡＳＩＣは、ユーザ端末内に存在し得る。代替において、プロセッサおよび記憶媒体は、ユーザ端末内の離散コンポーネントとして存在し得る。
【００８６】
[00102]  １つ以上の典型的な設計において、説明された機能は、ハードウェア、ソフトウェア、ファームウェア、またはそれらの任意の組み合わせで実現され得る。ソフトウェアで実現された場合、その機能は、コンピュータ可読媒体上の１つ以上の命令またはコードとして記憶または送信され得る。コンピュータ可読媒体は、１つの場所から別の場所へのコンピュータプログラムの転送を容易にする任意の媒体を含むコンピュータ記憶媒体と通信媒体の両方を含む。記憶媒体は、汎用または専用コンピュータによってアクセスされることができる任意の入手可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスク記憶装置、磁気ディスク記憶装置、または他の磁気記憶デバイス、または、命令またはデータ構造の形態で所望のプログラムコード手段を搬送または記憶するために使用されることができ、かつ、汎用または専用コンピュータ、または汎用または専用プロセッサによってアクセスされることができる、任意の他の媒体を備えることができる。また、任意の接続は、厳密にはコンピュータ可読媒体と呼ばれる。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、この同軸ケーブル、光ファイバーケーブル、ツイストペア、ＤＳＬ、または赤外線、無線、およびマイクロ波のようなワイヤレス技術は、媒体の定義に含まれる。ディスク（disk）およびディスク（disc）は、本明細書で使用される場合、コンパクトディスク（disc）（ＣＤ）、レーザーディスク（登録商標）（disc）、光学ディスク（disc）、デジタル多用途ディスク（disc）（ＤＶＤ）、フロッピー（登録商標）ディスク（disk）およびブルーレイ（登録商標）ディスク（disc）を含み、ここでディスク（disk）は通常、磁気的にデータを再生し、一方ディスク（disc）は、レーザーを用いて光学的にデータを再生する。上記の組み合わせはまた、コンピュータ可読媒体の範囲内に含まれるべきである。
【００８７】
[00103]  本開示の先の説明は、本開示を製造または使用することをいずれの当業者にも可能にさせるために提供される。本開示に対する様々な変更は、当業者に容易に理解され、本明細書において定義された一般的な原理は、本開示の精神または範囲から逸脱せずに、他の変形例に適用され得る。したがって、本開示は、本明細書で説明された例および設計に限定されるように意図されたものではなく、本明細書で開示された原理および新規な特徴と一致する最も広い範囲が付与されるべきである。
以下に本願発明の当初の特許請求の範囲に記載された発明を付記する。
［Ｃ１］
ユーザ機器（ＵＥ）のワイヤレス通信の方法であって、
利用可能なマルチメディアブロードキャストマルチキャストサービス（ＭＢＭＳ）サービス、前記利用可能なＭＢＭＳサービスが提供される非自立型キャリア周波数、および前記非自立型キャリア周波数がアタッチされる１つ以上のプライマリコンポーネントキャリア（ＰＣＣ）周波数を示す情報を受信することと、
前記非自立型キャリア周波数上で前記利用可能なＭＢＭＳサービスを受信するための情報を取得するために、前記１つ以上のＰＣＣ周波数のうちの１つのＰＣＣ周波数についてのプリファレンスを選択することと、
前記取得された情報に基づいて前記非自立型キャリア周波数上で前記利用可能なＭＢＭＳサービスを受信することと、
を備える、方法。
［Ｃ２］
前記非自立型キャリア周波数は、新たなキャリアタイプ（ＮＣＴ）のキャリア周波数、専用のマルチキャストブロードキャスト単一周波数ネットワーク（ＭＢＳＦＮ）キャリア周波数、ダウンリンクのみのキャリア周波数、または別のＵＥのためのプライマリコンポーネントキャリア周波数ではないセカンダリコンポーネントキャリア周波数である、Ｃ１に記載の方法。
［Ｃ３］
前記情報は、ユーザサービス記述（ＵＳＤ）またはシステム情報ブロック（ＳＩＢ）のうちの少なくとも１つにおいて受信される、Ｃ１に記載の方法。
［Ｃ４］
前記ＳＩＢは、ＳＩＢ １５（ＳＩＢ１５）である、Ｃ３に記載の方法。
［Ｃ５］
前記ユーザサービス記述（ＵＳＤ）を受信することをさらに備え、前記ＵＳＤは、前記非自立型キャリア周波数がアタッチされる前記１つ以上のＰＣＣ周波数を示す、Ｃ３に記載の方法。
［Ｃ６］
前記ＳＩＢを受信することをさらに備え、前記ＳＩＢは、前記非自立型キャリア周波数がアタッチされる前記１つ以上のＰＣＣ周波数を示す、Ｃ３に記載の方法。
［Ｃ７］
前記ＳＩＢを受信することをさらに備え、前記ＳＩＢは、複数の周波数および非自立型キャリア周波数である前記複数の周波数の各々についての１つ以上のＰＣＣ周波数を示す、Ｃ３に記載の方法。
［Ｃ８］
前記ＵＳＤおよび前記ＳＩＢを受信することをさらに備え、前記ＵＳＤは、前記利用可能なＭＢＭＳサービスに関連する第１のサービスエリアアイデンティティ（ＳＡＩ）を示し、前記ＳＩＢは、前記非自立型キャリア周波数および前記非自立型キャリア周波数がアタッチされる前記１つ以上のＰＣＣ周波数に関連する第２のＳＡＩを示し、前記第１のＳＡＩおよび前記第２のＳＡＩが同じである場合、前記１つのＰＣＣ周波数についての前記プリファレンスが選択される、Ｃ３に記載の方法。
［Ｃ９］
前記１つのＰＣＣ周波数についての前記プリファレンスを前記選択することは、前記１つ以上のＰＣＣ周波数が１より大きい場合、ユニキャスト測定値に基づく、Ｃ１に記載の方法。
［Ｃ１０］
前記１つのＰＣＣ周波数についての前記プリファレンスを前記選択することは、前記ＵＥが無線リソース制御（ＲＲＣ）アイドル状態にある場合、前記１つのＰＣＣ周波数の優先順位を決めることを備える、Ｃ１に記載の方法。
［Ｃ１１］
前記１つのＰＣＣ周波数についての前記プリファレンスを前記選択することは、前記ＵＥが無線リソース制御（ＲＲＣ）接続状態にある場合、前記１つのＰＣＣ周波数または前記非自立型キャリア周波数を示すＭＢＭＳ関心インジケーションメッセージを送ることを備える、Ｃ１に記載の方法。
［Ｃ１２］
前記ＭＢＭＳ関心インジケーションメッセージは、前記ＵＥがＲＲＣ接続状態にある場合、前記１つのＰＣＣ周波数を示す、Ｃ１１に記載の方法。
［Ｃ１３］
ネットワークエンティティのワイヤレス通信の方法であって、
利用可能なマルチメディアブロードキャストマルチキャストサービス（ＭＢＭＳ）サービス、前記利用可能なＭＢＭＳサービスが提供される非自立型キャリア周波数、および前記非自立型キャリア周波数がアタッチされる１つ以上のプライマリコンポーネントキャリア（ＰＣＣ）周波数を示す情報を受信することと、
前記情報をユーザ機器（ＵＥ）に送ることと、
を備える、方法。
［Ｃ１４］
前記ＵＥから前記１つ以上のＰＣＣ周波数のうちの１つのＰＣＣ周波数についてのプリファレンスを受信することをさらに備える、Ｃ１３に記載の方法。
［Ｃ１５］
前記ＵＥによって好まれる前記１つのＰＣＣ周波数に前記ＵＥをハンドオフすることをさらに備える、Ｃ１４に記載の方法。
［Ｃ１６］
前記ＵＥから前記非自立型キャリア周波数についてのプリファレンスを受信することをさらに備える、Ｃ１３に記載の方法。
［Ｃ１７］
前記非自立型キャリア周波数にアタッチされるＰＣＣ周波数に前記ＵＥをハンドオフすることをさらに備え、前記ＰＣＣ周波数は、前記１つ以上のＰＣＣ周波数のうちの１つである、Ｃ１６に記載の方法。
［Ｃ１８］
前記非自立型キャリア周波数は、新たなキャリアタイプ（ＮＣＴ）のキャリア周波数、専用のマルチキャストブロードキャスト単一周波数ネットワーク（ＭＢＳＦＮ）キャリア周波数、ダウンリンクのみのキャリア周波数、または別のＵＥのためのプライマリコンポーネントキャリア周波数ではないセカンダリコンポーネントキャリア周波数である、Ｃ１３に記載の方法。
［Ｃ１９］
ワイヤレス通信のための装置であって、前記装置は、ユーザ機器（ＵＥ）であり、
利用可能なマルチメディアブロードキャストマルチキャストサービス（ＭＢＭＳ）サービス、前記利用可能なＭＢＭＳサービスが提供される非自立型キャリア周波数、および前記非自立型キャリア周波数がアタッチされる１つ以上のプライマリコンポーネントキャリア（ＰＣＣ）周波数を示す情報を受信するための手段と、
前記非自立型キャリア周波数上で前記利用可能なＭＢＭＳサービスを受信するための情報を取得するために、前記１つ以上のＰＣＣ周波数のうちの１つのＰＣＣ周波数についてのプリファレンスを選択するための手段と、
前記取得された情報に基づいて前記非自立型キャリア周波数上で前記利用可能なＭＢＭＳサービスを受信するための手段と、
を備える、装置。
［Ｃ２０］
前記非自立型キャリア周波数は、新たなキャリアタイプ（ＮＣＴ）のキャリア周波数、専用のマルチキャストブロードキャスト単一周波数ネットワーク（ＭＢＳＦＮ）キャリア周波数、ダウンリンクのみのキャリア周波数、または別のＵＥのためのプライマリコンポーネントキャリア周波数ではないセカンダリコンポーネントキャリア周波数である、Ｃ１９に記載の装置。
［Ｃ２１］
前記情報は、ユーザサービス記述（ＵＳＤ）またはシステム情報ブロック（ＳＩＢ）のうちの少なくとも１つにおいて受信される、Ｃ１９に記載の装置。
［Ｃ２２］
前記ＳＩＢは、ＳＩＢ １５（ＳＩＢ１５）である、Ｃ２１に記載の装置。
［Ｃ２３］
前記ユーザサービス記述（ＵＳＤ）を受信するための手段をさらに備え、前記ＵＳＤは、前記非自立型キャリア周波数がアタッチされる前記１つ以上のＰＣＣ周波数を示す、Ｃ２１に記載の装置。
［Ｃ２４］
前記ＳＩＢを受信するための手段をさらに備え、前記ＳＩＢは、前記非自立型キャリア周波数がアタッチされる前記１つ以上のＰＣＣ周波数を示す、Ｃ２１に記載の装置。
［Ｃ２５］
前記ＳＩＢを受信するための手段をさらに備え、前記ＳＩＢは、複数の周波数および非自立型キャリア周波数である前記複数の周波数の各々についての１つ以上のＰＣＣ周波数を示す、Ｃ２１に記載の装置。
［Ｃ２６］
前記ＵＳＤおよび前記ＳＩＢを受信するための手段をさらに備え、前記ＵＳＤは、前記利用可能なＭＢＭＳサービスに関連する第１のサービスエリアアイデンティティ（ＳＡＩ）を示し、前記ＳＩＢは、前記非自立型キャリア周波数および前記非自立型キャリア周波数がアタッチされる前記１つ以上のＰＣＣ周波数に関連する第２のＳＡＩを示し、前記第１のＳＡＩおよび前記第２のＳＡＩが同じである場合、前記１つのＰＣＣ周波数についての前記プリファレンスが選択される、Ｃ２１に記載の装置。
［Ｃ２７］
前記１つのＰＣＣ周波数についての前記プリファレンスを選択するための前記手段は、前記１つ以上のＰＣＣ周波数が１より大きい場合、ユニキャスト測定値に基づいて前記１つのＰＣＣ周波数についての前記プリファレンスを選択するように構成される、Ｃ１９に記載の装置。
［Ｃ２８］
前記１つのＰＣＣ周波数についての前記プリファレンスを選択するための前記手段は、前記ＵＥが無線リソース制御（ＲＲＣ）アイドル状態にある場合、前記１つのＰＣＣ周波数の優先順位を決めるように構成される、Ｃ１９に記載の装置。
［Ｃ２９］
前記１つのＰＣＣ周波数についての前記プリファレンスを選択するための前記手段は、前記ＵＥが無線リソース制御（ＲＲＣ）接続状態にある場合、前記１つのＰＣＣ周波数または前記非自立型キャリア周波数を示すＭＢＭＳ関心インジケーションメッセージを送るように構成される、Ｃ１９に記載の装置。
［Ｃ３０］
前記ＭＢＭＳ関心インジケーションメッセージは、前記ＵＥがＲＲＣ接続状態にある場合、前記１つのＰＣＣ周波数を示す、Ｃ２９に記載の装置。
［Ｃ３１］
ワイヤレス通信のための装置であって、前記装置は、ネットワークエンティティであり、
利用可能なマルチメディアブロードキャストマルチキャストサービス（ＭＢＭＳ）サービス、前記利用可能なＭＢＭＳサービスが提供される非自立型キャリア周波数、および前記非自立型キャリア周波数がアタッチされる１つ以上のプライマリコンポーネントキャリア（ＰＣＣ）周波数を示す情報を受信するための手段と、
前記情報をユーザ機器（ＵＥ）に送るための手段と、
を備える、装置。
［Ｃ３２］
前記ＵＥから前記１つ以上のＰＣＣ周波数のうちの１つのＰＣＣ周波数についてのプリファレンスを受信するための手段をさらに備える、Ｃ３１に記載の装置。
［Ｃ３３］
前記ＵＥによって好まれる前記１つのＰＣＣ周波数に前記ＵＥをハンドオフするための手段をさらに備える、Ｃ３２に記載の装置。
［Ｃ３４］
前記ＵＥから前記非自立型キャリア周波数についてのプリファレンスを受信するための手段をさらに備える、Ｃ３１に記載の装置。
［Ｃ３５］
前記非自立型キャリア周波数にアタッチされるＰＣＣ周波数に前記ＵＥをハンドオフするための手段をさらに備え、前記ＰＣＣ周波数は、前記１つ以上のＰＣＣ周波数のうちの１つである、Ｃ３４に記載の装置。
［Ｃ３６］
前記非自立型キャリア周波数は、新たなキャリアタイプ（ＮＣＴ）のキャリア周波数、専用のマルチキャストブロードキャスト単一周波数ネットワーク（ＭＢＳＦＮ）キャリア周波数、ダウンリンクのみのキャリア周波数、または別のＵＥのためのプライマリコンポーネントキャリア周波数ではないセカンダリコンポーネントキャリア周波数である、Ｃ３１に記載の装置。
［Ｃ３７］
ワイヤレス通信のための装置であって、前記装置は、ユーザ機器（ＵＥ）であり、
利用可能なマルチメディアブロードキャストマルチキャストサービス（ＭＢＭＳ）サービス、前記利用可能なＭＢＭＳサービスが提供される非自立型キャリア周波数、および前記非自立型キャリア周波数がアタッチされる１つ以上のプライマリコンポーネントキャリア（ＰＣＣ）周波数を示す情報を受信することと、
前記非自立型キャリア周波数上で前記利用可能なＭＢＭＳサービスを受信するための情報を取得するために、前記１つ以上のＰＣＣ周波数のうちの１つのＰＣＣ周波数についてのプリファレンスを選択することと、
前記取得された情報に基づいて前記非自立型キャリア周波数上で前記利用可能なＭＢＭＳを受信することと、
を行うように構成された少なくとも１つのプロセッサ、
を備える、装置。
［Ｃ３８］
ワイヤレス通信のための装置であって、前記装置は、ネットワークエンティティであり、
利用可能なマルチメディアブロードキャストマルチキャストサービス（ＭＢＭＳ）サービス、前記利用可能なＭＢＭＳサービスが提供される非自立型キャリア周波数、および前記非自立型キャリア周波数がアタッチされる１つ以上のプライマリコンポーネントキャリア（ＰＣＣ）周波数を示す情報を受信することと、
前記情報をユーザ機器（ＵＥ）に送ることと、
を行うように構成された少なくとも１つのプロセッサ、
を備える、装置。
［Ｃ３９］
ユーザ機器（ＵＥ）におけるコンピュータプログラム製品であって、
利用可能なマルチメディアブロードキャストマルチキャストサービス（ＭＢＭＳ）サービス、前記利用可能なＭＢＭＳサービスが提供される非自立型キャリア周波数、および前記非自立型キャリア周波数がアタッチされる１つ以上のプライマリコンポーネントキャリア（ＰＣＣ）周波数を示す情報を受信することと、
前記非自立型キャリア周波数上で前記利用可能なＭＢＭＳサービスを受信するための情報を取得するために、前記１つ以上のＰＣＣ周波数のうちの１つのＰＣＣ周波数についてのプリファレンスを選択することと、
前記取得された情報に基づいて前記非自立型キャリア周波数上で前記利用可能なＭＢＭＳサービスを受信することと、
を行うためのコードを備えるコンピュータ可読媒体、
を備える、コンピュータプログラム製品。
［Ｃ４０］
ネットワークエンティティにおけるコンピュータプログラム製品であって、
利用可能なマルチメディアブロードキャストマルチキャストサービス（ＭＢＭＳ）サービス、前記利用可能なＭＢＭＳサービスが提供される非自立型キャリア周波数、および前記非自立型キャリア周波数がアタッチされる１つ以上のプライマリコンポーネントキャリア（ＰＣＣ）周波数を示す情報を受信することと、
前記情報をユーザ機器（ＵＥ）に送ることと、
を行うためのコードを備えるコンピュータ可読媒体、
を備える、コンピュータプログラム製品。
【図１】
0006301447.tif 000002
【図２】
0006301447.tif 000003
【図３】
0006301447.tif 000004
【図４Ａ】
0006301447.tif 000005
【図４Ｂ】
0006301447.tif 000006
【図５】
0006301447.tif 000007
【図６】
0006301447.tif 000008
【図７】
0006301447.tif 000009
【図８Ａ】
0006301447.tif 000010
【図８Ｂ】
0006301447.tif 000011
【図９】
0006301447.tif 000012
【図１０】
0006301447.tif 000013
【図１１】
0006301447.tif 000014
【図１２】
0006301447.tif 000015
【図１３】
0006301447.tif 000016
【図１４】
0006301447.tif 000017
【図１５】
0006301447.tif 000018